(57)【要約】【課題】  既存の受信設備を極力利用することができる増設された周波数帯域で動作するブースターを提供すること。【解決手段】  左旋円偏波のＢＳ・ＣＳ衛星放送が増設される場合は、増設された第３ブースター６ａで既設の信号Ｓ２１（ＢＳ・ＣＳ−ＩＦ右旋）を分波出力し、既設の第１ブースター５ａに入力して、信号Ｓ１（ＦＭ＋ＵＨＦ）と混合・増幅し、第３ブースター６ａの混合入力に戻す。第３ブースター６ａでは、信号Ｓ９（ＢＳ・ＣＳ−ＩＦ左旋）を増幅して、混合入力に入力された信号Ｓ２２（ＦＭ＋ＵＨＦ＋ＢＳ・ＣＳ−ＩＦ右旋）と混合して信号Ｓ３（ＦＭ＋ＵＨＦ＋ＢＳ・ＣＳ−ＩＦ右旋＋ＢＳ・ＣＳ−ＩＦ左旋）を出力する。【選択図】  図３
2017092903.tif 000002
【特許請求の範囲】
【請求項１】
既設の周波数帯域の第１の信号が入力される第１入力端子と、
第２の信号が入力される第２入力端子と、
前記第２の信号を、増設された周波数帯域の第３の信号と既設の周波数帯域の第４の信号とに分波する分波器と、
該分波器で分波された前記第３の信号を増幅して混合器へ出力する増幅部と、
第１切換状態と第２切換状態とを有し、第１切換状態で前記第１入力端子に入力された前記第１の信号を前記混合器へ出力し、第２切換状態で前記分波器で分波された前記第４の信号を分波出力端子から外部へ出力すると共に、混合入力端子から入力される前記第４の信号を前記混合器へ出力するスイッチと、
前記スイッチが前記第１切換状態の時に、該スイッチから出力された前記第１の信号と、前記増幅部からの前記第３の信号とを混合し、前記スイッチが前記第２切換状態の時に、前記スイッチから出力される前記混合入力端子からの前記第４の信号と、前記増幅部からの前記第３の信号とを混合する前記混合器と、
該混合器からの混合出力を出力する出力端子とを備え、
前記混合入力端子には、前記分波出力端子から出力されて、既設の増幅手段で増幅された前記第４の信号が入力されることを特徴とするブースター。
【請求項２】
前記第１入力端子に前記第１の信号が入力され、前記第２入力端子に、前記第１の信号を含まない前記第２の信号が入力された時に、前記スイッチが第１切換状態に切り換えられ、前記第１入力端子に前記第１の信号が入力されず、前記第２入力端子に、前記第１の信号が混合された前記第２の信号が入力された時に、前記第２切換状態に切り換えられることを特徴とする請求項１に記載のブースター。
【請求項３】
前記スイッチが前記第１切換状態の時に、前記分波器で分波された前記第４の信号が終端抵抗で終端されるように前記スイッチが切り換えられることを特徴とする請求項１または２に記載のブースター。
【請求項４】
第２の信号が入力される第２入力端子と、
前記第２の信号を、増設された周波数帯域の第３の信号と既設の周波数帯域の第４の信号とに分波する分波器と、
該分波器で分波された前記第３の信号を増幅して混合器へ出力する増幅部と、
既設の周波数帯域の第１の信号あるいは前記第４の信号が入力される第１入力端子と、
第１切換状態と第２切換状態とを有し、第１切換状態で前記第１入力端子に入力された前記第１の信号を前記混合器へ出力し、第２切換状態で前記分波器で分波された前記第４の信号を分波出力端子から外部へ出力すると共に、前記第１入力端子に入力された前記第４の信号を前記混合器へ出力するスイッチと、
前記スイッチが前記第１切換状態の時に、該スイッチから出力された前記第１の信号と、前記増幅部からの前記第３の信号とを混合し、前記スイッチが前記第２切換状態の時に、前記スイッチから出力される前記第１入力端子からの前記第４の信号と、前記増幅部からの前記第３の信号とを混合する前記混合器と、
該混合器からの混合出力を出力する出力端子とを備え、
前記第１入力端子に入力される前記第４の信号は、前記分波出力端子から出力されて、既設の増幅手段で増幅された信号とされることを特徴とするブースター。
【請求項５】
前記第１入力端子に前記第１の信号が入力され、前記第２入力端子に、前記第１の信号を含まない前記第２の信号が入力された時に、前記スイッチが第１切換状態に切り換えられ、前記第２入力端子に、前記第１の信号が混合された前記第２の信号が入力された時に、前記スイッチが第２切換状態に切り換えられて、前記第１入力端子に前記第４の信号が入力されることを特徴とする請求項４に記載のブースター。
【請求項６】
前記スイッチが前記第１切換状態の時に、前記分波器で分波された前記第４の信号が終端抵抗で終端されるように前記スイッチが切り換えられることを特徴とする請求項４または５に記載のブースター。
【請求項７】
既設の周波数帯域の第１の信号が入力される第１入力端子と、
第２の信号が入力される第２入力端子と、
前記第２の信号を、増設された周波数帯域の第３の信号と既設の周波数帯域の第４の信号とに分波する分波器と、
該分波器で分波された前記第３の信号を増幅して混合器へ出力する増幅部と、
第１切換状態と第２切換状態とを有し、第１切換状態で前記第１入力端子に入力された前記第１の信号を前記混合器へ出力し、第２切換状態で前記分波器で分波された前記第４の信号を前記第１入力端子から外部へ出力すると共に、混合入力端子に入力された前記第４の信号を前記混合器へ出力するスイッチと、
前記スイッチが前記第１切換状態の時に、該スイッチから出力された前記第１の信号と、前記増幅部からの前記第３の信号とを混合し、前記スイッチが前記第２切換状態の時に、前記スイッチから出力される前記混合入力端子からの前記第４の信号と、前記増幅部からの前記第３の信号とを混合する前記混合器と、
該混合器からの混合出力を出力する出力端子とを備え、
前記混合入力端子には、前記第１入力端子から出力されて、既設の増幅手段で増幅された前記第４の信号が入力されることを特徴とするブースター。
【請求項８】
前記第１入力端子に前記第１の信号が入力され、前記第２入力端子に、前記第１の信号を含まない前記第２の信号が入力された時に、前記スイッチが第１切換状態に切り換えられ、前記第２入力端子に、前記第１の信号が混合された前記第２の信号が入力された時に、前記スイッチが第２切換状態に切り換えられて、前記第１入力端子から前記第４の信号が出力されることを特徴とする請求項７に記載のブースター。
【請求項９】
前記スイッチが前記第１切換状態の時に、前記分波器で分波された前記第４の信号が終端抵抗で終端されるように前記スイッチが切り換えられることを特徴とする請求項７または９に記載のブースター。
【請求項１０】
既設の周波数帯域の第１の信号が入力される第１入力端子と、
第２の信号が入力される第２入力端子と、
前記第２の信号を、増設された周波数帯域の第３の信号と既設の周波数帯域の第４の信号とに分波する分波器と、
該分波器で分波された前記第３の信号を増幅して混合器へ出力する増幅部と、
第１モード切換状態と第２モード切換状態とを有し、前記分波器で分波された前記第４の信号を、第１モード切換状態で分波出力端子に出力すると共に、第２モード切換状態で第２スイッチに出力する第１スイッチと、
第１切換状態と第２切換状態とを有し、第１切換状態で前記第１入力端子に入力された前記第１の信号を第３スイッチへ出力し、第２切換状態で前記第１スイッチからの前記第４の信号を前記第３スイッチへ出力する前記第２スイッチと、
前記第１スイッチと連動して切り換えられ、前記第１モード切換状態で、前記第２スイッチから出力された前記第１の信号を前記混合器へ出力し、前記第２モード切換状態で、混合入力端子に入力された前記第４の信号を前記混合器へ出力する前記第３スイッチと、
前記第１モード切換状態で、前記第３スイッチから出力された前記第１の信号と、前記増幅部からの前記第３の信号とを混合し、前記第２モード切換状態で、前記第３スイッチから出力される前記第４の信号と、前記増幅部からの前記第３の信号とを混合する前記混合器と、
該混合器からの混合出力を出力する出力端子とを備え、
前記混合入力端子には、前記分波出力端子から出力されて、既設の増幅手段で増幅された前記第４の信号が入力されることを特徴とするブースター。
【請求項１１】
前記第１スイッチおよび前記第３スイッチを、前記第１モード切換状態と前記第２モード切換状態とに連動して切り換える切換信号を、前記第１スイッチおよび前記第３スイッチに印加する第４スイッチが、さらに設けられていることを特徴とする請求項１０に記載のブースター。
【請求項１２】
既設の周波数帯域の第１の信号が混合された第２の信号が入力される第２入力端子と、
前記第２の信号を、増設された周波数帯域の第３の信号と既設の周波数帯域の第４の信号とに分波する分波器と、
該分波器で分波された前記第３の信号を増幅して混合器へ出力する増幅部と、
前記分波器で分波された前記第４の信号を出力する分波出力端子と、
前記第４の信号が入力される混合入力端子と、
前記混合入力端子からの前記第４の信号と、前記増幅部からの前記第３の信号とを混合する前記混合器と、
該混合器からの混合出力を出力する出力端子とを備え、
前記混合入力端子には、前記分波出力端子から出力されて、既設の増幅手段で増幅された前記第４の信号が入力されることを特徴とするブースター。
【発明の詳細な説明】
【技術分野】
【０００１】
本発明は、左旋円偏波のＢＳ・ＣＳ衛星放送に対応することのできるブースターに関する。
【背景技術】
【０００２】
現在のＴＶ（Television）放送は、地上デジタル放送およびＢＳ（Broadcasting Satellite）・ＣＳ（Communication Satellite）衛星放送が行われている。現在は、ＢＳ・ＣＳ衛星放送では右旋円偏波が用いられているが、左旋円偏波を用いるＢＳ・ＣＳ衛星放送の増設が策定されている。この場合、ＢＳ・ＣＳ衛星放送のＩＦ（Intermediate Frequency）周波数帯域は、右旋円偏波では１０３２ＭＨｚ〜２０７１ＭＨｚとされており、左旋円偏波では２２３４ＭＨｚ〜３２２４ＭＨｚが予定されている。
【０００３】
ここで、従来の受信システムとされる共同受信システム１００の構成の一例を図１９に示す。
図１９に示す共同受信システム１００は、入力部Ａ１０１において、ＦＭ（Frequency Modulation）放送を受信するＦＭアンテナ１１０と、地上デジタル放送を受信するＵＨＦ（Ultra High Frequency）アンテナ１１１とを備え、両アンテナの受信信号は第１ブースター１１２にそれぞれ供給されて、増幅されると共に混合されて入力部Ａ１０１から出力される。入力部Ａ１０１から出力された受信信号は、分配器１２０で４分配され、それぞれの分配出力は、さらに、４分配器１１３ａ，１１３ｂ，１１３ｃ，１１３ｄにより４分配されていく。さらにまた、４分配器１１３ａ〜１１３ｄからのそれぞれの分配信号は、４分配器１１５ａ，１１５ｂ，１１５ｃ，１１５ｃおよび図示しない分配器により分配されていき、各世帯に供給される。これにより、各世帯では供給された分配信号をラジオ受信機やテレビ受像機に供給することにより、ＦＭ放送や地上デジタル放送を受信したり視聴できるようになる。なお、分配するにつれて分配された受信信号のレベルが低下することから、第２ブースター１１４のように分配器間に必要に応じてブースターＢ１０１が設けられる。
【０００４】
図１９に示す共同受信システム１００における受信信号の周波数配置を図２０（ａ）に示し、ブースター出力のイメージを図２０（ｂ）に示す。
図１９に示す共同受信システム１００では、ＦＭ放送とＵＨＦ放送とが受信されることから、その受信信号の周波数配置では図２０（ａ）に示すように、７６〜９０ＭＨｚのＦＭ放送の周波数帯域ＢＷ１０１と、４７０〜７１０ＭＨｚのＵＨＦ放送の周波数帯域ＢＷ１０２とが配置されることになる。また、図２０（ａ）に示すように周波数配置されているＦＭ放送とＵＨＦ放送の周波数帯域ＢＷ１０１，ＢＷ１０２は、図２０（ｂ）に示すレベルになるようブースター１１２（１１４）で増幅される。この場合、ＢＷ１０１のレベルよりＢＷ１０２のレベルが高くされているのは、ＵＨＦ放送の周波数帯域ＢＷ１０２がＦＭ放送の周波数帯域ＢＷ１０１より高くされて、受信信号を伝達する同軸ケーブルの伝送損失が大きくなるからである。
【０００５】
次に、従来の受信システムとされる共同受信システムの他の構成例を図２１に示す。
図２１に示す共同受信システムでは、図１９に示す共同受信システム１００において、入力部Ａ１０１が入力部Ａ１０２に、ブースターＢ１０１がブースターＢ１０２に置き換えられた構成とされている。入力部Ａ１０２では、ＦＭ放送および地上デジタル放送を受信するＦＭ・ＵＨＦアンテナ２１０と、右旋円偏波のＢＳ・ＣＳ衛星放送を受信するＢＳ・ＣＳアンテナ２１１とを備え、ＦＭ・ＵＨＦアンテナ２１０の受信信号Ｓ１０１（ＦＭ＋ＵＨＦ）と、ＢＳ・ＣＳアンテナ２１１の受信信号Ｓ１０２（ＢＳ・ＣＳ−ＩＦ右旋）とが第１ブースター２１２にそれぞれ供給されて、増幅されると共に混合されて入力部Ａ１０２から信号Ｓ１０３（ＦＭ＋ＵＨＦ＋ＢＳ・ＣＳ−ＩＦ右旋）が出力される。本明細書においては、「＋」記号は混合されていることを表し、「ＢＳ・ＣＳ−ＩＦ右旋」は受信した右旋円偏波のＢＳ・ＣＳ衛星放送を中間周波数に変換した受信信号を表している。
また、ブースターＢ１０２では、第２ブースター２１４により、信号Ｓ１０３（ＦＭ＋ＵＨＦ＋ＢＳ・ＣＳ−ＩＦ右旋）が増幅されて出力される。
【０００６】
図２１に示す共同受信システムの他の構成例における受信信号の周波数配置を図２２（ａ）に示し、ブースター出力のイメージを図２２（ｂ）に示す。
図２１に示す共同受信システムの他の構成例では、ＦＭ放送、ＵＨＦ放送と右旋円偏波のＢＳ・ＣＳ衛星放送が受信されることから、その受信信号の周波数配置では図２２（ａ）に示すように、７６〜９０ＭＨｚのＦＭ放送の周波数帯域ＢＷ１０１と、４７０〜７１０ＭＨｚのＵＨＦ放送の周波数帯域ＢＷ１０２と、１０３２〜１４８９ＭＨｚのＢＳ−ＩＦ右旋の周波数帯域ＢＷ１０３と、１５９５〜２０７１ＭＨｚのＣＳ−ＩＦ右旋の周波数帯域ＢＷ１０４とが配置されることになる。また、図２２（ａ）に示すように周波数配置されている周波数帯域ＢＷ１０１（ＦＭ放送）、ＢＷ１０２（ＵＨＦ放送）、周波数帯域ＢＷ１０３（ＢＳ−ＩＦ右旋）、周波数帯域ＢＷ１０４（ＣＳ−ＩＦ右旋）の周波数帯域は、図２２（ｂ）に示すレベルになるようブースター２１２（２１４）で増幅される。この場合、ＢＷ１０１のレベルよりＢＷ１０２のレベルが高くされ、ＢＷ１０３のレベルはより高くされ、ＢＷ１０４のレベルはさらに高くされると共に、ＢＷ１０３およびＢＷ１０４の低域から高域に向かって次第に高いレベルとされているのは、受信信号を伝達する同軸ケーブルの伝送損失が、周波数が高くなるほど大きくなるからである。
【０００７】
次に、従来の受信システムとされる共同受信システムのさらに他の構成例を図２３に示す。
図２３に示す共同受信システムはＣＡＴＶ（Cable television）の共同受信システムとされ、図１９に示す共同受信システム１００において、入力部Ａ１０１が入力部Ａ１０３に、ブースターＢ１０１がブースターＢ１０３に置き換えられた構成とされている。入力部Ａ１０３において、ＣＡＴＶ３１０は下り信号と上り信号とからなる双方向システムとされており、ＣＡＴＶ３１０からの下り信号Ｓ１０４は、双方向増幅器である第１ブースター３１２で増幅されて入力部Ａ１０３からＣＡＴＶ下り信号Ｓ１０４が出力される。なお、ケーブルモデムからの上り信号は入力部Ａ１０３に入力されて第１ブースター３１２で増幅されてＣＡＴＶ３１０に上っていくが、その図示は省略している。
また、ブースターＢ１０３では、第２ブースター３１４により、ＣＡＴＶ下り信号Ｓ１０４が増幅されて下り側へ出力されると共に、上ってきたＣＡＴＶの上り信号を増幅して上り側へ出力している。
【０００８】
図２３に示す共同受信システムの他の構成例における受信信号の周波数配置を図２４（ａ）に示し、ブースター出力のイメージを図２４（ｂ）に示す。
図２３に示す共同受信システムのさらに他の構成例では、ＣＡＴＶとされることから、その受信信号の周波数配置では図２４（ａ）に示すように、１０〜６０ＭＨｚのＣＡＴＶ上り信号の周波数帯域ＢＷ３０１と、７０〜７７０ＭＨｚのＣＡＴＶ下り信号の周波数帯域ＢＷ３０２とが配置されることになる。また、図２４（ａ）に示すように周波数配置されている周波数帯域ＢＷ３０１（ＣＡＴＶ上り），ＢＷ３０２（ＣＡＴＶ下り）の周波数帯域は、図２４（ｂ）に示すレベルになるようブースター３１２（２１４）で増幅される。この場合、ＢＷ３０１のレベルよりＢＷ３０２のレベルが高くされているのは、受信信号を伝達する同軸ケーブルの伝送損失が、周波数が高くなるほど大きくなるからである。
【０００９】
次に、従来の受信システムとされる共同受信システムのさらに他の構成例を図２５に示す。
図２５に示す共同受信システムはＣＡＴＶとＢＳ・ＣＳ放送の共同受信システムとされ、図１９に示す共同受信システム１００において、入力部Ａ１０１が入力部Ａ１０４に、ブースターＢ１０１がブースターＢ１０３に置き換えられた構成とされている。入力部Ａ１０４において、ＣＡＴＶ３１０と、右旋円偏波のＢＳ・ＣＳ衛星放送を受信するＢＳ・ＣＳアンテナ２１１とを備え、ＣＡＴＶ３１０からのＣＡＴＶ下り信号Ｓ１０４と、ＢＳ・ＣＳアンテナ２１１の受信信号Ｓ１０２（ＢＳ・ＣＳ−ＩＦ右旋）とが第１ブースター４１２にそれぞれ供給されて、増幅されると共に混合されて入力部Ａ１０４から信号Ｓ１０５（ＣＡＴＶ下り＋ＢＳ・ＣＳ−ＩＦ右旋）が出力される。なお、ケーブルモデムからの上り信号は入力部Ａ１０４に入力されて第１ブースター４１２で増幅されてＣＡＴＶ３１０に上っていくが、その図示は省略している。
また、ブースターＢ１０４では、第２ブースター４１４により、信号Ｓ１０５（ＣＡＴＶ下り＋ＢＳ・ＣＳ−ＩＦ右旋）が増幅されて下り側へ出力されると共に、上ってきたＣＡＴＶの上り信号を増幅して上り側へ出力している。
【００１０】
図２５に示す共同受信システムの他の構成例における受信信号の周波数配置を図２６（ａ）に示し、ブースター出力のイメージを図２６（ｂ）に示す。
図２５に示す共同受信システムのさらに他の構成例では、ＣＡＴＶとされることから、その受信信号の周波数配置では図２６（ａ）に示すように、１０〜６０ＭＨｚのＣＡＴＶ上り信号の周波数帯域ＢＷ３０１と、７０〜７７０ＭＨｚのＣＡＴＶ下り信号の周波数帯域ＢＷ３０２と、１０３２〜１４８９ＭＨｚのＢＳ−ＩＦ右旋の周波数帯域ＢＷ１０３と、１５９５〜２０７１ＭＨｚのＣＳ−ＩＦ右旋の周波数帯域ＢＷ１０４とが配置されることになる。また、図２６（ａ）に示すように周波数配置されている周波数帯域ＢＷ３０１（ＣＡＴＶ上り）、ＢＷ３０２（ＣＡＴＶ下り）、周波数帯域ＢＷ１０３（ＢＳ−ＩＦ右旋）、周波数帯域ＢＷ１０４（ＣＳ−ＩＦ右旋）の周波数帯域は、図２６（ｂ）に示すレベルになるようブースター４１２（４１４）で増幅される。この場合、ＢＷ３０１のレベルよりＢＷ３０２のレベルが高くされ、ＢＷ１０３のレベルはより高くされ、ＢＷ１０４のレベルはさらに高くされると共に、ＢＷ１０３およびＢＷ１０４の低域から高域に向かって次第に高いレベルとされているのは、受信信号を伝達する同軸ケーブルの伝送損失が、周波数が高くなるほど大きくなるからである。
【００１１】
次に、共同受信システム１００における第１ブースター１１２と第２ブースター１１４は同じ構成のブースター５００からなり、ブースター５００の構成を図２７に示す。
図２７に示すように、ブースター５００は、２つの入力端子ＩＮ５０１，ＩＮ５０２と出力端子ＯＵＴとモニター端子５１６とを備えている。入力端子ＩＮ５０１の入力信号Ｓａ０１は、信号Ｓ１０１（ＦＭ＋ＵＨＦ）あるいは信号Ｓ１０２（ＣＡＴＶ）のいずれかとされ、入力端子ＩＮ５０２の入力信号Ｓａ０２は、信号Ｓ１０２（ＢＳ・ＣＳ−ＩＦ右旋）あるいは信号Ｓ１０３（ＦＭ＋ＵＨＦ＋ＢＳ・ＣＳ−ＩＦ右旋）あるいは信号Ｓ１０５（ＣＡＴＶ＋ＢＳ・ＣＳ−ＩＦ右旋）のいずれかとされる。入力端子ＩＮ５０１に入力される入力信号Ｓａ０１が、信号Ｓ１０１あるいは信号Ｓ１０２とされた（入力部Ａ１０１，入力部Ａ１０３参照）時は、スイッチ５１１が図示する状態に切り換えられ、接点ａ０１−ｂ０１間と接点ａ０２−ｂ０２間とが接続される。これにより、信号Ｓａ０１はアンプ（ＡＭＰ）５１２に供給されて増幅され、混合器５１４の一方の端子に入力される。
【００１２】
また、入力端子ＩＮ５０１に入力される入力信号Ｓａ０１が、信号Ｓ１０１あるいは信号Ｓ１０２とされた時は、入力端子ＩＮ５０２に入力される入力信号Ｓａ０２は、入力されない（入力部Ａ１０１，入力部Ａ１０３参照）か、信号Ｓ１０２（ＢＳ・ＣＳ−ＩＦ右旋）が入力される（入力部Ａ１０２，入力部Ａ１０４参照）。この入力信号Ｓａ０２は、分波器５１０に入力されて信号Ｓａ０１の周波数帯域（ＦＭ＋ＵＨＦ）と信号Ｓａ０３の周波数帯域（ＢＳ・ＣＳ−ＩＦ右旋）とに分波される。分波器５１０で分波された信号Ｓａ０１はスイッチ５１１（ＳＷ５１１）の接点ｂ０２−ａ０２を介して終端抵抗Ｒ１００で終端される。また、分波器５１０で分波された信号Ｓａ０３は、アンプ（ＡＭＰ）５１３で増幅されて混合器５１４の他方の端子に入力される。混合器５１４では、信号Ｓａ０１と信号Ｓａ０３とが混合されて出力端子ＯＵＴから信号Ｓａ０４として出力される。信号Ｓａ０４の一部は分岐器５１５で分岐されてモニター端子５１６から出力される。
【００１３】
また、入力端子ＩＮ５０２に入力される入力信号Ｓａ０２が、信号Ｓ１０３（ＦＭ＋ＵＨＦ＋ＢＳ・ＣＳ−ＩＦ右旋）あるいは信号Ｓ１０５（ＣＡＴＶ＋ＢＳ・ＣＳ−ＩＦ右旋）とされた時は、入力端子ＩＮ５０１には信号は入力されない（ブースターＢ１０２，ブースターＢ１０４参照））。この時は、ＳＷ５１１は反対側に切り換えられ接点ｂ０１−ｃ０１間と接点ｂ０２−ｃ０２間とが接続される。これにより、分波器５１０で分波された信号Ｓａ０１は、ＳＷ５１１の接点ｂ０２−ｃ０２−ｃ０１−ｂ０１を介してＡＭＰ５１２に供給されて増幅され、混合器５１４の一方の端子に入力される。また、分波器５１０で分波された信号Ｓａ０３は、ＡＭＰ５１３で増幅されて混合器５１４の他方の端子に入力される。混合器５１４では、信号Ｓａ０１と信号Ｓａ０３とが混合されて出力端子ＯＵＴから信号Ｓａ０４として出力される。信号Ｓａ０４の一部は分岐器５１５で分岐されてモニター端子５１６から出力される。
なお、入力端子ＩＮ５０１の入力信号Ｓａ０１が、信号Ｓ１０１（ＦＭ＋ＵＨＦ）とされる時は、ＡＭＰ５１２は信号Ｓ１０１を増幅する単方向の増幅器とされ、入力端子ＩＮ５０１の入力信号Ｓａ０１が、信号Ｓ１０２（ＣＡＴＶ）とされる時は、ＡＭＰ５１２は信号Ｓ１０２（ＣＡＴＶの上り信号と下り信号）を増幅する双方向増幅器とされる。
ＡＭＰ５１２およびＡＭＰ５１３には電源５１８から動作電源が供給される。また、電源５１８からの電源はチョークコイルＬ１００を介して入力端子ＩＮ５０２から出力させることができる。この場合、電源を出力させる／させないの切り換えを電源切換部５１７が行う。入力端子ＩＮ５０２から電源が出力された場合は、信号伝送用の同軸ケーブルを介してＢＳ・ＣＳアンテナ２１１に、受信信号を中間周波数に変換するコンバーターを動作させる動作用電源として供給される。また、入力端子ＩＮ５０２に信号Ｓａ０１成分が入力されない場合に、分波器５１０で分波された信号Ｓａ０１成分が終端抵抗Ｒ１００で終端されるのは、ノイズの混入を防止するためである。
【００１４】
上記したブースター５００と同種とされるブースターが特許文献１に記載されている。特許文献１に記載されている従来のブースターは、入力される放送信号を分波して、各信号種毎に所定の信号レベルに増幅処理するブースター機能部と、増幅された放送信号の分岐出力と分配出力を切り換える分岐・分配機能部とからなる分岐分配機能を備えたブースターとされている。
【先行技術文献】
【特許文献】
【００１５】
【特許文献１】特開２０１１−１０９７０４号公報
【発明の概要】
【発明が解決しようとする課題】
【００１６】
上記した左旋円偏波を用いるＢＳ・ＣＳ衛星放送を、既存の受信システムを利用して受信したいという要望があり、この場合には受信システムの改修が必要となる。例えば、ＦＭ放送、地上デジタル放送および右旋円偏波のＢＳ・ＣＳ衛星放送を受信する既存の受信システムの受信設備を、左旋円偏波を用いるＢＳ・ＣＳ衛星放送に対応させるには、ＢＳ・ＣＳアンテナを右旋円偏波および左旋円偏波を受信できるＢＳ・ＣＳアンテナおよび対応した伝送機器（例えば、分配器）に交換するか、左旋円偏波を受信できるＢＳ・ＣＳアンテナを追加して、対応した伝送機器に交換する必要がある。また、従来のブースターでは既存の受信設備のブースターに並列接続することができないため左旋円偏波を用いるＢＳ・ＣＳ衛星放送に対応したブースターを追加できないことから、伝送するすべての帯域に対応したブースターに交換する必要がある。ブースターの交換には多くの費用がかかることから経済的でないと云う問題点があった。
また、ブースターを交換した場合、すべての帯域のレベル調整等を初めから調整する必要があるが、この調整作業は信号レベルを測定器で確認して適切な運用レベルに調整する必要があり、多くの時間を要すると云う問題点があった。
【００１７】
そこで、本発明は、既存の受信設備に増設した周波数帯域で動作するブースターを追加することにより、周波数帯域を増設した受信システムとすることができるブースターを提供することを目的としている。
【課題を解決するための手段】
【００１８】
本発明のブースターは、既設の周波数帯域の第１の信号が入力される第１入力端子と、第２の信号が入力される第２入力端子と、前記第２の信号を、増設された周波数帯域の第３の信号と既設の周波数帯域の第４の信号とに分波する分波器と、該分波器で分波された前記第３の信号を増幅して混合器へ出力する増幅部と、第１切換状態と第２切換状態とを有し、第１切換状態で前記第１入力端子に入力された前記第１の信号を前記混合器へ出力し、第２切換状態で前記分波器で分波された前記第４の信号を分波出力端子から外部へ出力すると共に、混合入力端子から入力される前記第４の信号を前記混合器へ出力するスイッチと、前記スイッチが前記第１切換状態の時に、該スイッチから出力された前記第１の信号と、前記増幅部からの前記第３の信号とを混合し、前記スイッチが前記第２切換状態の時に、前記スイッチから出力される前記混合入力端子からの前記第４の信号と、前記増幅部からの前記第３の信号とを混合する前記混合器と、該混合器からの混合出力を出力する出力端子とを備え、前記混合入力端子には、前記分波出力端子から出力されて、既設の増幅手段で増幅された前記第４の信号が入力されることを最も主要な特徴としている。
【発明の効果】
【００１９】
本発明のブースターでは、第２入力端子に入力された第２の信号を、増設された周波数帯域の第３の信号と既設の周波数帯域の第４の信号とに分波して、既設の周波数帯域の第４の信号を既設の増幅手段で増幅し、増幅された第４の信号と増幅された第３の信号とを混合して出力するようにされている。
これにより、増設された周波数帯域の信号は増幅するが、既設の周波数帯域の信号を既設の増幅手段を利用して増幅するようにしたので、全ての周波数帯域で動作するブースターに交換する必要がなくなり、コストを低減することができる。また、既設の周波数帯域の信号は既設のブースターで適切な運用レベルに調整されていることから、増設される周波数帯域の信号だけをレベル調整をすればよく、短時間で調整作業を終了することができる。
【図面の簡単な説明】
【００２０】
【図１】本発明の実施例のブースターが適用される共同受信システムの構成を示す図である。
【図２】図１の共同受信システムの受信信号の周波数配列およびブースター出力のイメージを示す図である。
【図３】本発明の実施例のブースターが適用される他の構成とされた共同受信システムの改修される部分だけの構成を示す図である。
【図４】図３の共同受信システムの受信信号の周波数配列およびブースター出力のイメージを示す図である。
【図５】本発明の実施例のブースターが適用されるさらに他の構成とされた共同受信システムの改修される部分だけの構成を示す図である。
【図６】図５の共同受信システムの受信信号の周波数配列およびブースター出力のイメージを示す図である。
【図７】本発明の実施例のブースターが適用されるさらに他の構成とされた共同受信システムの改修される部分だけの構成を示す図である。
【図８】図７の共同受信システムの受信信号の周波数配列およびブースター出力のイメージを示す図である。
【図９】本発明の第１実施例のブースターの構成を示す回路図である。
【図１０】本発明の第１実施例のブースターにおける分波器と混合器の構成を示す回路図である。
【図１１】本発明の第２実施例のブースターの構成を示す回路図である。
【図１２】本発明の第３実施例のブースターの構成を示す回路図である。
【図１３】本発明の第４実施例のブースターの構成を示す回路図である。
【図１４】本発明の第５実施例のブースターの構成を示す回路図である。
【図１５】本発明の第６実施例のブースターの構成を示す回路図である。
【図１６】本発明の第７実施例のブースターの構成を示す回路図である。
【図１７】本発明の第８実施例のブースターの構成を示す回路図である。
【図１８】本発明の第９実施例のブースターの構成を示す回路図である。
【図１９】従来の共同受信システムの構成を示す図である。
【図２０】図１９の従来の共同受信システムの受信信号の周波数配列およびブースター出力のイメージを示す図である。
【図２１】従来の他の構成とされた共同受信システムの異なる構成を示す図である。
【図２２】図２１の共同受信システムの受信信号の周波数配列およびブースター出力のイメージを示す図である。
【図２３】従来のさらに他の構成とされた共同受信システムの異なる構成を示す図である。
【図２４】図２３の共同受信システムの受信信号の周波数配列およびブースター出力のイメージを示す図である。
【図２５】従来のさらに他の構成とされた共同受信システムの異なる構成を示す図である。
【図２６】図２５の共同受信システムの受信信号の周波数配列およびブースター出力のイメージを示す図である。
【図２７】従来のブースターの構成を示す回路図である。
【発明を実施するための形態】
【００２１】
本発明の実施例のブースターが適用される共同受信システム１の構成を図１に示す。
図１に示す共同受信システム１は、図１９に示す従来の共同受信システム１００において、右旋円偏波および左旋円偏波のＢＳ・ＣＳ衛星放送を受信できるよう改修した構成とされている。このため、共同受信システム１は、入力部Ａ１において、ＦＭ放送を受信する既設の「ＦＭアンテナ２と、地上デジタル放送を受信する既設のＵＨＦアンテナ３と、右旋円偏波および左旋円偏波のＢＳ・ＣＳ衛星放送を受信する増設したＢＳ・ＣＳアンテナ４を備え、ＦＭアンテナ２とＵＨＦアンテナ３との受信信号は既設の第１ブースター５ａにそれぞれ供給されて、増幅されると共に混合される。混合された信号Ｓ１（ＦＭ＋ＵＨＦ）は、増設された第３ブースター６ａの第１入力端子に入力される。また、ＢＳ・ＣＳアンテナ４が受信した受信信号はコンバーターで中間周波数に変換されてＢＳ・ＣＳアンテナ４から信号Ｓ２（ＢＳ・ＣＳ−ＩＦ右旋＋ＢＳ・ＣＳ−ＩＦ左旋）が出力され、増設された第３ブースター６ａの第２入力端子に入力されて、信号Ｓ１と信号Ｓ２とが増幅されて混合される。なお、本明細書においては、「＋」記号は混合されていることを表し、「ＢＳ・ＣＳ−ＩＦ右旋」および「ＢＳ・ＣＳ−ＩＦ左旋」は受信した右旋円偏波および左旋円偏波のＢＳ・ＣＳ衛星放送を中間周波数に変換した受信信号を表している。
【００２２】
第３ブースター６ａの第１出力端子から出力される信号Ｓ３（ＦＭ＋ＵＨＦ＋ＢＳ・ＣＳ−ＩＦ右旋＋ＢＳ・ＣＳ−ＩＦ左旋）は、入力部Ａ１から出力され、４分配器７で４分配され、それぞれの分配出力は、さらに、４分配器８ａ，８ｂ，８ｃ，８ｄにより４分配されていく。さらにまた、４分配器８ａ〜８ｄからのそれぞれの分配信号は、４分配器９ａ，９ｂ，９ｃ，９ｃおよび図示しない分配器により分配されていき、各世帯に供給される。これにより、各世帯では供給された分配信号をラジオ受信機やテレビ受像機に供給することにより、ＦＭ放送や地上デジタル放送、ＢＳ・ＣＳ放送を受信することができるようになる。なお、分配するにつれて分配された信号Ｓ３のレベルが低下することから、ブースターＢ１を分配器間に必要に応じて設けることができる。図１に示す共同受信システム１では、ブースターＢ１が４分配器８ａと４分配器９ａとの間に設けられており、ブースターＢ１は、既設の第２ブースター５ｂと増設された第４ブースター６ｂとから構成されている。ブースターＢ１では、信号Ｓ３が増設された第４ブースター６ｂの第２入力端子に入力され、信号Ｓ３が信号Ｓ１と信号Ｓ２とに分波されて、信号Ｓ１は分波出力端子から出力されて既設の第２ブースター５ｂに入力されて増幅され、信号Ｓ２は第４ブースター６ｂ内において増幅される。第２ブースター５ｂで増幅された信号Ｓ１は、第４ブースター６ｂの混合入力端子に入力され、増幅された信号Ｓ２と混合されて、出力端子から増幅された信号Ｓ３が出力される。すなわち、入力部Ａ１から信号Ｓ３（ＦＭ＋ＵＨＦ＋ＢＳ・ＣＳ−ＩＦ右旋＋ＢＳ・ＣＳ−ＩＦ左旋）が出力される。なお、図１においては増設された第３ブースター６ａと増設された第４ブースター６ｂとの枠内を薄く塗りつぶして示し、両ブースター６ａ，６ｂの構成は同じ構成とされ、その構成については後述する。
【００２３】
図１に示す共同受信システム１における受信信号の周波数配置を図２（ａ）に示し、ブースター出力のイメージを図２（ｂ）に示す。
図１に示す共同受信システム１では、ＦＭ放送、ＵＨＦ放送に加えて右旋円偏波および左旋円偏波のＢＳ・ＣＳ衛星放送とが受信されることから、その受信信号の周波数配置では図２（ａ）に示すように、７６〜９０ＭＨｚのＦＭ放送の周波数帯域ＢＷ１と、４７０〜７１０ＭＨｚのＵＨＦ放送の周波数帯域ＢＷ２と、増設された１０３２〜１４８９ＭＨｚのＢＳ−ＩＦ右旋の周波数帯域ＢＷ３と、増設された１５９５〜２０７１ＭＨｚのＣＳ−ＩＦ右旋の周波数帯域ＢＷ４と、増設された２２２４〜２６８１ＭＨｚのＢＳ−ＩＦ左旋の周波数帯域ＢＷ５と、増設された２７４８〜３２２４ＭＨｚのＣＳ−ＩＦ左旋の周波数帯域ＢＷ６とが配置されることになる。また、図２（ａ）に示すように周波数配置されている周波数帯域ＢＷ１（ＦＭ放送）、ＢＷ２（ＵＨＦ放送）、周波数帯域ＢＷ３（ＢＳ−ＩＦ右旋）、周波数帯域ＢＷ４（ＣＳ−ＩＦ右旋）、周波数帯域ＢＷ５（ＢＳ−ＩＦ左旋）、周波数帯域ＢＷ６（ＣＳ−ＩＦ左旋）の周波数帯域は、図２（ｂ）に示すレベルになるよう第１ブースター５ａ〜第４ブースター６ｂにより増幅される。この場合、ＢＷ１のレベルよりＢＷ２のレベルが高くされ、ＢＷ３のレベルはより高くされ、ＢＷ４のレベルはさらに高くされ、ＢＷ５のレベルはより高くされ、ＢＷ６のレベルはさらに高くされると共に、ＢＷ３ないしＢＷ６の低域から高域に向かって次第に高いレベルとされているのは、受信信号を伝達する同軸ケーブルの伝送損失が、周波数が高くなるほど大きくなるからである。なお、図２（ａ）（ｂ）においては増設された周波数帯域の枠内を薄く塗りつぶして示している。
図１に示す共同受信システム１では、既設の周波数帯域の信号Ｓ１は既設の第１ブースター５ａ、第２ブースター５ｂで所定のレベルになるよう増幅されることから、第３ブースター６ａ、第４ブースター６ｂが増設されても、すべての帯域のレベル調整等を初めから調整する必要はなくなる。
【００２４】
次に、本発明の実施例のブースターが適用される共同受信システム１の他の構成例を図３に示す。図３に示す共同受信システムでは、図１に示す共同受信システム１において、入力部Ａ１が入力部Ａ２に、ブースターＢ１がブースターＢ２に置き換えられた構成だけが異なり、他の構成は同じ構成とされている。
図３に示す共同受信システムは、図２１に示す従来の共同受信システムにおいて、左旋円偏波のＢＳ・ＣＳ衛星放送を受信できるよう改修した構成とされている。このため、図３に示すように、入力部Ａ２では、ＦＭ放送および地上デジタル放送を受信する既設のＦＭ・ＵＨＦアンテナ２２と、右旋円偏波のＢＳ・ＣＳ衛星放送を受信するＢＳ・ＣＳアンテナ２１１に替えて右旋円偏波および左旋円偏波のＢＳ・ＣＳ衛星放送を受信するＢＳ・ＣＳアンテナ４とが設けられている。ＦＭ・ＵＨＦアンテナ２２の受信信号Ｓ１（ＦＭ＋ＵＨＦ）は既設の第１ブースター５ａの一方の入力端子に入力されて増幅され、交換したＢＳ・ＣＳアンテナ４から出力される信号Ｓ２（ＢＳ・ＣＳ−ＩＦ右旋＋ＢＳ・ＣＳ−ＩＦ左旋）は、増設された第３ブースター６ａの第２入力端子に入力される。第３ブースター６ａでは、第２入力端子に入力された信号Ｓ２が信号Ｓ２１（ＢＳ・ＣＳ−ＩＦ右旋）と信号Ｓ９（ＢＳ・ＣＳ−ＩＦ左旋）とに分波されて、信号Ｓ２１は分波出力端子から出力され、第１ブースター５ａの他方の入力端子に入力されて増幅されると共に、信号Ｓ１と混合される。また、信号Ｓ９は第３ブースター６ａ内において増幅される。第１ブースター５ａから出力される混合された信号Ｓ２２（ＦＭ＋ＵＨＦ＋ＢＳ・ＣＳ−ＩＦ右旋）は第３ブースター６ａの混合入力端子に入力され、分波された信号Ｓ９（ＢＳ・ＣＳ−ＩＦ左旋）と混合されて、混合された信号Ｓ３（ＦＭ＋ＵＨＦ＋ＢＳ・ＣＳ−ＩＦ右旋＋ＢＳ・ＣＳ−ＩＦ左旋）が出力される。すなわち、入力部Ａ２から信号Ｓ３（ＦＭ＋ＵＨＦ＋ＢＳ・ＣＳ−ＩＦ右旋＋ＢＳ・ＣＳ−ＩＦ左旋）が出力される。
【００２５】
所望の４分配器間に設けられたブースターＢ２では、信号Ｓ３が増設された第４ブースター６ｂの第２入力端子に入力され、信号Ｓ３が信号Ｓ２２（ＦＭ＋ＵＨＦ＋ＢＳ・ＣＳ−ＩＦ右旋）と信号Ｓ９（ＢＳ・ＣＳ−ＩＦ左旋）とに分波される。信号Ｓ２２は分波出力端子から出力されて既設の第２ブースター５ｂに入力されて増幅され、信号Ｓ９は第４ブースター６ｂ内において増幅される。第２ブースター５ｂで増幅された信号Ｓ２２は、第４ブースター６ｂの混合入力端子に入力され、増幅された信号Ｓ９と混合されて、出力端子から増幅された信号Ｓ３が出力される。なお、図３においては交換されたＢＳ・ＣＳアンテナ４と増設された第３ブースター６ａと増設された第４ブースター６ｂとの枠内を薄く塗りつぶして示している。
【００２６】
図３に示す共同受信システムにおける受信信号の周波数配置を図４（ａ）に示し、ブースター出力のイメージを図４（ｂ）に示す。
図３に示す共同受信システムでは、ＦＭ放送、ＵＨＦ放送、右旋円偏波のＢＳ・ＣＳ衛星放送に加えて左旋円偏波のＢＳ・ＣＳ衛星放送とが受信されることから、その受信信号の周波数配置では図４（ａ）に示すように、７６〜９０ＭＨｚのＦＭ放送の周波数帯域ＢＷ１と、４７０〜７１０ＭＨｚのＵＨＦ放送の周波数帯域ＢＷ２と、１０３２〜１４８９ＭＨｚのＢＳ−ＩＦ右旋の周波数帯域ＢＷ３と、１５９５〜２０７１ＭＨｚのＣＳ−ＩＦ右旋の周波数帯域ＢＷ４と、増設された２２２４〜２６８１ＭＨｚのＢＳ−ＩＦ左旋の周波数帯域ＢＷ５と、増設された２７４８〜３２２４ＭＨｚのＣＳ−ＩＦ左旋の周波数帯域ＢＷ６とが配置されることになる。また、図４（ａ）に示すように周波数配置されている周波数帯域ＢＷ１（ＦＭ放送）、ＢＷ２（ＵＨＦ放送）、周波数帯域ＢＷ３（ＢＳ−ＩＦ右旋）、周波数帯域ＢＷ４（ＣＳ−ＩＦ右旋）、周波数帯域ＢＷ５（ＢＳ−ＩＦ左旋）、周波数帯域ＢＷ６（ＣＳ−ＩＦ左旋）の周波数帯域は、図４（ｂ）に示すレベルになるよう第１ブースター５ａ〜第４ブースター６ｂにより増幅される。この場合、ＢＷ１のレベルよりＢＷ２のレベルが高くされ、ＢＷ３のレベルはより高くされ、ＢＷ４のレベルはさらに高くされ、ＢＷ５のレベルはより高くされ、ＢＷ６のレベルはさらに高くされると共に、ＢＷ３ないしＢＷ６の低域から高域に向かって次第に高いレベルとされているのは、受信信号を伝達する同軸ケーブルの伝送損失が、周波数が高くなるほど大きくなるからである。なお、図４（ａ）（ｂ）においては増設された周波数帯域の枠内を薄く塗りつぶして示している。
図３に示す共同受信システムでは、既設の周波数帯域の信号Ｓ１，Ｓ２１，Ｓ２２は既設の第１ブースター５ａ、第２ブースター５ｂで所定のレベルになるよう増幅されることから、第３ブースター６ａ、第４ブースター６ｂが増設されても、すべての帯域のレベル調整等を初めから調整する必要はなくなる。
【００２７】
次に、本発明の実施例のブースターが適用される共同受信システム１のさらに他の構成例を図５に示す。図５に示す共同受信システムでは、図１に示す共同受信システム１において、入力部Ａ１が入力部Ａ３に、ブースターＢ１がブースターＢ３に置き換えられた構成だけが異なり、他の構成は同じ構成とされている。
図５に示す共同受信システムは、図２３に示す従来の共同受信システムにおいて、右旋円偏波および左旋円偏波のＢＳ・ＣＳ衛星放送を受信できるよう改修した構成とされている。このため、図５に示すように、入力部Ａ３では、既設のＣＡＴＶ３２からの信号Ｓ３１と、右旋円偏波および左旋円偏波のＢＳ・ＣＳ衛星放送を受信する増設されたＢＳ・ＣＳアンテナ４とが設けられている。ＣＡＴＶ３２は下り信号と上り信号とからなる双方向システムとされており、ＣＡＴＶ３２からの下りの信号Ｓ３１は、双方向増幅器である第１ブースター３５ａで増幅されて増設された双方向増幅器である第３ブースター３６ａの第１入力端子に入力される。また、増設されたＢＳ・ＣＳアンテナ４から出力される信号Ｓ２（ＢＳ・ＣＳ−ＩＦ右旋＋ＢＳ・ＣＳ−ＩＦ左旋）は、増設された第３ブースター３６ａの第２入力端子に入力されて増幅され、信号Ｓ３１と混合されて信号Ｓ３３（ＣＡＴＶ＋ＢＳ・ＣＳ−ＩＦ右旋＋ＢＳ・ＣＳ−ＩＦ左旋）が出力される。なお、ケーブルモデムからの上り信号は４分配器を介して入力部Ａ３に上っていき、第２ブースター３５ｂ、第１ブースター３５ａで増幅されてＣＡＴＶ３２に上っていくが、その図示は省略している。
【００２８】
所望の４分配器間に設けられたブースターＢ３では、信号Ｓ３３が増設された双方向増幅器である第４ブースター３６ｂの第２入力端子に入力され、信号Ｓ３３が信号Ｓ３１（ＣＡＴＶ）と信号Ｓ２（ＢＳ・ＣＳ−ＩＦ右旋＋ＢＳ・ＣＳ−ＩＦ左旋）とに分波される。分波された信号Ｓ３１は分波出力端子から出力され、既設の双方向増幅器である第２ブースター３５ｂに入力されて増幅され、信号Ｓ２は第４ブースター３６ｂ内において増幅される。第２ブースター３５ｂで増幅された信号Ｓ３１は、第４ブースター３６ｂの混合入力端子に入力され、増幅された信号Ｓ２と混合されて、出力端子から増幅された信号Ｓ３３が出力される。すなわち、入力部Ａ３から信号Ｓ３３（ＣＡＴＶ＋ＢＳ・ＣＳ−ＩＦ右旋＋ＢＳ・ＣＳ−ＩＦ左旋）が出力される。なお、図５においては増設されたＢＳ・ＣＳアンテナ４と第３ブースター６ａと増設された第４ブースター６ｂとの枠内を薄く塗りつぶして示している。なお、ケーブルモデムからの上り信号は４分配器を介してブースターＢ３に上っていき、第４ブースター３６ｂ、第２ブースター３５ｂで増幅されてＣＡＴＶ３２に向かって上っていくが、その図示は省略している。
【００２９】
図５に示す共同受信システムにおける受信信号の周波数配置を図６（ａ）に示し、ブースター出力のイメージを図６（ｂ）に示す。
図５に示す共同受信システムでは、ＣＡＴＶに加えて、右旋円偏波および左旋円偏波のＢＳ・ＣＳ衛星放送とが受信されることから、その受信信号の周波数配置では図６（ａ）に示すように、１０〜６０ＭＨｚのＣＡＴＶ上り信号の周波数帯域ＢＷ３１と、７０〜７７０ＭＨｚのＣＡＴＶ下り信号の周波数帯域ＢＷ３２と、増設された１０３２〜１４８９ＭＨｚのＢＳ−ＩＦ右旋の周波数帯域ＢＷ３と、増設された１５９５〜２０７１ＭＨｚのＣＳ−ＩＦ右旋の周波数帯域ＢＷ４と、増設された２２２４〜２６８１ＭＨｚのＢＳ−ＩＦ左旋の周波数帯域ＢＷ５と、増設された２７４８〜３２２４ＭＨｚのＣＳ−ＩＦ左旋の周波数帯域ＢＷ６とが配置されることになる。また、図６（ａ）に示すように周波数配置されている周波数帯域ＢＷ３１（ＣＡＴＶ上り）、ＢＷ３２（ＣＡＴＶ下り）、周波数帯域ＢＷ３（ＢＳ−ＩＦ右旋）、周波数帯域ＢＷ４（ＣＳ−ＩＦ右旋）、周波数帯域ＢＷ５（ＢＳ−ＩＦ左旋）、周波数帯域ＢＷ６（ＣＳ−ＩＦ左旋）の周波数帯域は、図６（ｂ）に示すレベルになるよう第１ブースター３５ａ〜第４ブースター３６ｂにより増幅される。この場合、ＢＷ３１のレベルよりＢＷ３２のレベルが高くされ、ＢＷ３のレベルはより高くされ、ＢＷ４のレベルはさらに高くされ、ＢＷ５のレベルはより高くされ、ＢＷ６のレベルはさらに高くされると共に、ＢＷ３ないしＢＷ６の低域から高域に向かって次第に高いレベルとされているのは、受信信号を伝達する同軸ケーブルの伝送損失が、周波数が高くなるほど大きくなるからである。なお、図６（ａ）（ｂ）においては増設された周波数帯域の枠内を薄く塗りつぶして示している。
図５に示す共同受信システムでは、既設の周波数帯域の信号Ｓ３１は既設の第１ブースター３５ａ、第２ブースター３５ｂで所定のレベルになるよう増幅されることから、第３ブースター３６ａ、第４ブースター３６ｂが増設されても、すべての帯域のレベル調整等を初めから調整する必要はなくなる。
【００３０】
次に、本発明の実施例のブースターが適用される共同受信システム１のさらに他の構成例を図７に示す。図７に示す共同受信システムでは、図１に示す共同受信システム１において、入力部Ａ１が入力部Ａ４に、ブースターＢ１がブースターＢ４に置き換えられた構成だけが異なり、他の構成は同じ構成とされている。
図７に示す共同受信システムは、図２５に示す従来の共同受信システムにおいて、左旋円偏波のＢＳ・ＣＳ衛星放送を受信できるよう改修した構成とされている。このため、図７に示すように、入力部Ａ４では、既設のＣＡＴＶ３２からの信号Ｓ３１と、右旋円偏波のＢＳ・ＣＳ衛星放送を受信するＢＳ・ＣＳアンテナ２１１に替えて右旋円偏波および左旋円偏波のＢＳ・ＣＳ衛星放送を受信するＢＳ・ＣＳアンテナ４とが設けられている。ＣＡＴＶ３２からの下りの信号Ｓ３１は、双方向増幅器である第１ブースター３５ａで増幅されて増設された双方向増幅器である第３ブースター３６ａの第１入力端子に入力される。また、増設されたＢＳ・ＣＳアンテナ４から出力される信号Ｓ２（ＢＳ・ＣＳ−ＩＦ右旋＋ＢＳ・ＣＳ−ＩＦ左旋）は、増設された第３ブースター３６ａの第２入力端子に入力される。第３ブースター３６ａでは、第２入力端子に入力された信号Ｓ２が信号Ｓ２１（ＢＳ・ＣＳ−ＩＦ右旋）と信号Ｓ９（ＢＳ・ＣＳ−ＩＦ左旋）とに分波されて、信号Ｓ２１は分波出力端子から出力され、第１ブースター３５ａの他方の入力端子に入力されて増幅されると共に、信号Ｓ３１と混合される。また、信号Ｓ９は第３ブースター３６ａ内において増幅される。
【００３１】
第１ブースター３５ａから出力され混合された信号Ｓ３２（ＣＡＴＶ＋ＢＳ・ＣＳ−ＩＦ右旋）は第３ブースター３６ａの混合入力端子に入力され、分波された信号Ｓ９（ＢＳ・ＣＳ−ＩＦ左旋）と混合されて、混合された信号Ｓ３３（ＣＡＴＶ＋ＢＳ・ＣＳ−ＩＦ右旋＋ＢＳ・ＣＳ−ＩＦ左旋）が第３ブースター３６ａから出力される。すなわち、入力部Ａ４から信号Ｓ３３（ＣＡＴＶ＋ＢＳ・ＣＳ−ＩＦ右旋＋ＢＳ・ＣＳ−ＩＦ左旋）が出力される。なお、ケーブルモデムからの上り信号は４分配器を介して入力部Ａ４に上っていき、第２ブースター３５ｂ、第１ブースター３５ａで増幅されてＣＡＴＶ３２に上っていくが、その図示は省略している。
【００３２】
所望の４分配器間に設けられたブースターＢ４では、信号Ｓ３３が増設された双方向増幅器である第４ブースター３６ｂの第２入力端子に入力され、信号Ｓ３３が信号Ｓ３２（ＣＡＴＶ＋ＢＳ・ＣＳ−ＩＦ右旋）と信号Ｓ９（ＢＳ・ＣＳ−ＩＦ左旋）とに分波される。分波された信号Ｓ３２は分波出力端子から出力され、既設の双方向増幅器である第２ブースター３５ｂに入力されて増幅され、信号Ｓ９は第４ブースター３６ｂ内において増幅される。第２ブースター３５ｂで増幅された信号Ｓ３２は、第４ブースター３６ｂの混合入力端子に入力され、増幅された信号Ｓ９と混合されて、出力端子から増幅された信号Ｓ３３が出力される。なお、図７においては交換されたＢＳ・ＣＳアンテナ４と増設された第３ブースター６ａおよび第４ブースター６ｂとの枠内を薄く塗りつぶして示している。なお、ケーブルモデムからの上り信号は４分配器を介してブースターＢ４に上っていき、第４ブースター３６ｂ、第２ブースター３５ｂで増幅されてＣＡＴＶ３２に向かって上っていくが、その図示は省略している。
【００３３】
図７に示す共同受信システムにおける受信信号の周波数配置を図８（ａ）に示し、ブースター出力のイメージを図８（ｂ）に示す。
図７に示す共同受信システムでは、ＣＡＴＶと、右旋円偏波のＢＳ・ＣＳ衛星放送に加えて左旋円偏波のＢＳ・ＣＳ衛星放送が受信されることから、その受信信号の周波数配置では図８（ａ）に示すように、１０〜６０ＭＨｚのＣＡＴＶ上り信号の周波数帯域ＢＷ３１と、７０〜７７０ＭＨｚのＣＡＴＶ下り信号の周波数帯域ＢＷ３２と、１０３２〜１４８９ＭＨｚのＢＳ−ＩＦ右旋の周波数帯域ＢＷ３と、１５９５〜２０７１ＭＨｚのＣＳ−ＩＦ右旋の周波数帯域ＢＷ４と、増設された２２２４〜２６８１ＭＨｚのＢＳ−ＩＦ左旋の周波数帯域ＢＷ５と、増設された２７４８〜３２２４ＭＨｚのＣＳ−ＩＦ左旋の周波数帯域ＢＷ６とが配置されることになる。また、図８（ａ）に示すように周波数配置されている周波数帯域ＢＷ３１（ＣＡＴＶ上り）、ＢＷ３２（ＣＡＴＶ下り）、周波数帯域ＢＷ３（ＢＳ−ＩＦ右旋）、周波数帯域ＢＷ４（ＣＳ−ＩＦ右旋）、周波数帯域ＢＷ５（ＢＳ−ＩＦ左旋）、周波数帯域ＢＷ６（ＣＳ−ＩＦ左旋）の周波数帯域は、図８（ｂ）に示すレベルになるよう第１ブースター３５ａ〜第４ブースター３６ｂにより増幅される。この場合、ＢＷ３１のレベルよりＢＷ３２のレベルが高くされ、ＢＷ３のレベルはより高くされ、ＢＷ４のレベルはさらに高くされ、ＢＷ５のレベルはより高くされ、ＢＷ６のレベルはさらに高くされると共に、ＢＷ３ないしＢＷ６の低域から高域に向かって次第に高いレベルとされているのは、受信信号を伝達する同軸ケーブルの伝送損失が、周波数が高くなるほど大きくなるからである。なお、図８（ａ）（ｂ）においては増設された周波数帯域の枠内を薄く塗りつぶして示している。
図７に示す共同受信システムでは、既設の周波数帯域の信号Ｓ２１，Ｓ３１，Ｓ３２は既設の第１ブースター３５ａ、第２ブースター３５ｂで所定のレベルになるよう増幅されることから、第３ブースター３６ａ、第４ブースター３ｂが増設されても、すべての帯域のレベル調整等を初めから調整する必要はなくなる。
【００３４】
次に、本発明にかかる共同受信システムにおいて増設された第３ブースター６ａ，３６ａと第４ブースター６ｂ，３６ｂとは同じ構成とされ、このブースターに適用される第１実施例のブースター６の構成を図９に示す。
図９に示すように、第１実施例のブースター６は、第１入力端子ＩＮ１、第２入力端子ＩＮ２、混合入力端子ＩＮ３と、出力端子ＯＵＴ１、分波出力端子ＯＵＴ２とモニター端子１５とを備えている。第１入力端子ＩＮ１には、既設の第１ブースター５ａ，３５ａから出力される信号が入力される。すなわち、第１入力端子ＩＮ１に入力される入力信号Ｓａ１は、信号Ｓ１（ＦＭ＋ＵＨＦ）あるいは信号Ｓ３１（ＣＡＴＶ）のいずれかとされる。このことを本明細書では、Ｓａ１：ＦＭ＋ＵＨＦ／ＣＡＴＶと表すものとする。また、第２入力端子ＩＮ２には、増設（交換）されたＢＳ・ＣＳアンテナ４からのＢＳ・ＣＳ−ＩＦ信号あるいは伝送される全ての帯域の信号が入力される。すなわち、第２入力端子ＩＮ２の入力信号Ｓａ２は、Ｓａ２：ＢＳ・ＣＳ−ＩＦ右旋＋ＢＳ・ＣＳ−ＩＦ左旋／ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋とされ、信号Ｓ２あるいは信号Ｓ３あるいは信号Ｓ３３のいずれかとされる。また、混合入力端子ＩＮ３には、既設の第１ブースター５ａ，３５ａあるいは既設の第２ブースター５ｂ，３５ｂからの出力が入力され、その入力信号Ｓａ３は、Ｓａ３：ＦＭ＋ＵＨＦ／ＣＡＴＶ／ＢＳ・ＣＳ−ＩＦ右旋／ＦＭ＋ＵＨＦ＋ＢＳ・ＣＳ−ＩＦ右旋／ＣＡＴＶ＋ＢＳ・ＣＳ−ＩＦ右旋とされ、信号Ｓ１あるいは信号Ｓ３１あるいは信号Ｓ２１あるいは信号Ｓ２２あるいは信号Ｓ３２のいずれかとされる。さらに、出力端子ＯＵＴ１から出力される信号Ｓａ５は、Ｓａ５：ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋とされ、信号Ｓ３あるいは信号Ｓ３３とされる。また、分波出力端子ＯＵＴ２からは上記した信号Ｓａ３が出力される。
【００３５】
第１実施例のブースター６におけるアンプ（ＡＭＰ）１２は分波器１０で分波された信号Ｓａ４を増幅する増幅器である。信号Ｓａ４は、Ｓａ４：ＢＳ・ＣＳ−ＩＦ右旋＋ＢＳ・ＣＳ−ＩＦ左旋／ＢＳ・ＣＳ−ＩＦ左旋とされる。
【００３６】
第１実施例のブースター６における分波器１０は入力信号Ｓａ２を信号Ｓａ３と信号Ｓａ４とに分波する分波器であり、その詳細構成が図１０（ａ）に示されている。入力信号Ｓａ２は、Ｓａ２：ＢＳ・ＣＳ−ＩＦ右旋＋ＢＳ・ＣＳ−ＩＦ左旋／ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋とされ、信号Ｓａ３は、Ｓａ３：ＦＭ＋ＵＨＦ／ＣＡＴＶ／ＢＳ・ＣＳ−ＩＦ右旋／ＦＭ＋ＵＨＦ＋ＢＳ・ＣＳ−ＩＦ右旋／ＣＡＴＶ＋ＢＳ・ＣＳ−ＩＦ右旋とされ、信号Ｓａ４は、Ｓａ４：ＢＳ・ＣＳ−ＩＦ右旋＋ＢＳ・ＣＳ−ＩＦ左旋／ＢＳ・ＣＳ−ＩＦ左旋とされる。分波器１０は、２つの分波器１０ｂ，１０ｃを有し、分波器１０ｂ，１０ｃのうちのいずれを選択するかを切り換えるスイッチ１０ａ，１０ｄ，１０ｅを備えており、スイッチ１０ａ，１０ｄ，１０ｅは連動して切り換えられる。
【００３７】
スイッチ１０ａ，１０ｄ，１０ｅが図示するように切り換えられている場合は、分波器１０ｂが選択された場合であり、入力Ａからの入力信号Ｓａ２は、スイッチ１０ａの接点ａ６−ｂ６間を介して分波器１０ｂに供給され、信号Ｓａ１と信号Ｓａ７とに分波される。信号Ｓａ７は、Ｓａ７：ＢＳ・ＣＳ−ＩＦ右旋＋ＢＳ・ＣＳ−ＩＦ左旋とされる。分波器１０ｂで分波された信号Ｓａ１はスイッチ１０ｄの接点ｂ７−ａ７間を介して第１分波出力Ｂから出力される。また、分波器１０ｂで分波された信号Ｓａ７はスイッチ１０ｅの接点ｂ８−ａ８間を介して第２分波出力Ｃから出力される。
スイッチ１０ａ，１０ｄ，１０ｅが図示する場合と反対側に切り換えられている場合は、分波器１０ｃが選択された場合であり、入力Ａからの入力信号Ｓａ２は、スイッチ１０ａの接点ａ６−ｃ６間を介して分波器１０ｃに供給され、信号Ｓａ８と信号Ｓａ９（ＢＳ・ＣＳ−ＩＦ左旋）とに分波される。信号Ｓａ８は、Ｓａ８：ＢＳ・ＣＳ−ＩＦ右旋／ＦＭ＋ＵＨＦ＋ＢＳ・ＣＳ−ＩＦ右旋／ＣＡＴＶ＋ＢＳ・ＣＳ−ＩＦ右旋とされる。分波器１０ｃで分波された信号Ｓａ８はスイッチ１０ｄの接点ｃ７−ａ７間を介して第１分波出力Ｂから出力される。また、分波器１０ｃで分波された信号Ｓａ９はスイッチ１０ｅの接点ｃ８−ａ８間を介して第２分波出力Ｃから出力される。
このように、分波器１０の第１分波出力Ｂからは、ＣＡＴＶの周波数帯域からＢＳ・ＣＳ−ＩＦ右旋までの周波数帯域の信号Ｓａ３が出力され、第２分波出力ＣからはＢＳ・ＣＳ−ＩＦ右旋からＢＳ・ＣＳ−ＩＦ左旋までの周波数帯域の信号Ｓａ４が出力される。
【００３８】
第１実施例のブースター６における混合器１３は信号Ｓａ３と信号Ｓａ４とを混合する混合器であり、その詳細構成が図１０（ｂ）に示されている。混合器１３は、２つの混合器１３ｃ，１３ｄを有し、混合器１３ｃ，１３ｄのうちのいずれを選択するかを切り換えるスイッチ１３ａ，１３ｂ，１３ｅを備えており、スイッチ１３ａ，１３ｃ，１３ｅは、分波器１０のスイッチ１０ａ，１０ｄ，１０ｅと連動して切り換えられる。
スイッチ１３ａ，１３ｂ，１３ｅが図示するように切り換えられている場合は、混合器１３ｃが選択された場合であり、入力Ｈからの信号Ｓａ３は信号Ｓａ１成分だけとされ、スイッチ１３ａの接点ａ９−ｃ９間を介して混合器１３ｃの一方の端子に供給される。また、入力Ｉからの信号Ｓａ４は信号Ｓａ７成分だけとされ、スイッチ１３ａの接点ａ１０−ｂ１０間を介して混合器１３ｃの他方の端子に供給される。この場合、混合器１３ｃでは、信号Ｓａ１と信号Ｓａ７とが混合されて信号Ｓａ５となり、スイッチ１３ｅの接点ｂ１１−ａ１１間を介して混合出力Ｇから出力される。
【００３９】
スイッチ１３ａ，１３ｂ，１３ｅが図示する場合と反対側に切り換えられている場合は、混合器１３ｄが選択された場合であり、入力Ｈからの信号Ｓａ３は信号Ｓａ８成分だけとされ、スイッチ１３ａの接点ａ９−ｂ９間を介して混合器１３ｄの一方の端子に供給される。また、入力Ｉからの信号Ｓａ４は信号Ｓａ９成分だけとされ、スイッチ１３ａの接点ａ１０−ｃ１０間を介して混合器１３ｄの他方の端子に供給される。この場合、混合器１３ｄでは、信号Ｓａ８と信号Ｓａ９とが混合されて信号Ｓａ５となり、スイッチ１３ｅの接点ｂ１１−ａ１１間を介して混合出力Ｇから出力される。
このように、混合器１３の混合出力Ｇからは、ＣＡＴＶの周波数帯域からＢＳ・ＣＳ−ＩＦ左旋までの伝送される全ての周波数帯域の信号Ｓａ５が出力される。
【００４０】
第１実施例のブースター６が入力部Ａ１，Ａ３のブースターに適用された場合について次に説明する。
第１実施例のブースター６が入力部Ａ１，Ａ３の第３ブースター６ａ，３６ａとされた時は、第１入力端子ＩＮ１に入力信号Ｓａ１（信号Ｓ１／Ｓ３１）が入力され、この時は、スイッチ（ＳＷ）１１が図示する状態に切り換えられて、接点ａ１−ｂ１間と接点ａ２−ｂ２間とが接続される。これにより、信号Ｓａ１は混合器１３の一方の端子に入力される。第１入力端子ＩＮ１に入力信号Ｓａ１（信号Ｓ１／Ｓ３１）が入力される時は、第２入力端子ＩＮ２に入力される入力信号Ｓａ２は、信号Ｓ２（ＢＳ・ＣＳ−ＩＦ右旋＋ＢＳ・ＣＳ−ＩＦ左旋）とされる（入力部Ａ１，Ａ３参照）。この入力信号Ｓａ２は、分波器１０に入力されて信号Ｓａ３と信号Ｓａ４とに分波されるが、分波器１０は図１０（ａ）に示す切換状態に切り換えられており、分波器１０で分波される信号Ｓａ４は信号Ｓ２（信号Ｓａ７）とされ、この信号Ｓ２がＡＭＰ１２へ出力され、分波器１０で分波された信号Ｓａ３成分はノイズのみとなりＳＷ１１の接点ａ２に入力される。このノイズからなる信号Ｓａ３成分はＳＷ１１の接点ａ２−ｂ２を介して終端抵抗Ｒ１で終端される。また、分波器１０で分波された信号Ｓ２は、ＡＭＰ１２で増幅されて混合器１３の他方の端子に入力される。混合器１３は図１０（ｂ）に示す切換状態に切り換えられており、ＳＷ１１では、第１入力端子ＩＮ１に入力された入力信号Ｓａ１が接点ｂ１−ａ１間を介して出力され、混合器１３の一方の端子に入力される。この入力信号Ｓａ１と、他方の端子に入力された信号Ｓ２（信号Ｓａ７）とが混合されて、信号Ｓａ５が出力端子ＯＵＴ１から出力される。信号Ｓａ５の一部は分岐器１４で分岐されてモニター端子１５から出力される。入力部Ａ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００４１】
ＡＭＰ１２（ＡＭＰ１２ｃ，１２ｄ）には電源１７から動作電源が供給される。また、電源１７からの電源はチョークコイルＬ１を介して第２入力端子ＩＮ２から出力させることができる。この場合、電源を出力させる／させないの切り換えを電源切換部１６が行う。第２入力端子ＩＮ２から電源が出力された場合は、信号伝送用の同軸ケーブルを介して増設されたＢＳ・ＣＳアンテナ４に、受信信号を中間周波数に変換するコンバーターを動作させる動作用電源として供給される。また、第２入力端子ＩＮ２に信号Ｓａ１成分が入力されない場合に、分波器１０で分波された信号Ｓａ１成分が終端抵抗Ｒ１で終端されるのは、ノイズの混入を防止するためである。
【００４２】
第１実施例のブースター６がブースターＢ１，Ｂ３の第４ブースター６ｂ，３６ｂに適用された時は、第１入力端子ＩＮ１に入力信号Ｓａ１は入力されず、ＳＷ１１が図示する状態から切り換えられ、接点ａ１−ｄ１間と接点ａ２−ｄ２間とが接続される。そして、第２入力端子ＩＮ２に入力される入力信号Ｓａ２は、信号Ｓａ５（ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋）のいずれかとされる。この入力信号Ｓａ２は、分波器１０に入力されて信号Ｓａ３と信号Ｓａ４とに分波されるが、ブースターＢ１，Ｂ３におけるブースター６（第４ブースター６ｂ，３６ｂ）の場合では、分波器１０は図１０（ａ）に示す切換状態に切り換えられており、分波器１０で分波される信号Ｓａ３は入力信号Ｓａ１（信号Ｓ１／Ｓ３１）とされる。この分波された入力信号Ｓａ１は、ＳＷ１１の接点ａ２−ｄ２間を介して出力され、分波出力端子ＯＵＴ２から出力される。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００４３】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＳＷ１１の接点ｄ１−ａ１間が接続されていることから、混合入力端子ＩＮ３に入力された入力信号Ｓａ１は混合器１３の一方の端子に入力される。混合器１３は図１０（ｂ）に示す切換状態に切り換えられており、混合器１３では入力信号Ｓａ１と、他方の端子に入力された信号Ｓ２（信号Ｓａ７）とが混合されて、信号Ｓａ５が出力端子ＯＵＴ１から出力される。信号Ｓａ５の一部は分岐器１４で分岐されてモニター端子１５から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
電源１７と電源切換部１６については前述したとおりであるので、その説明は省略する。
【００４４】
次に、第１実施例のブースター６が入力部Ａ２，Ａ４のブースターに適用された場合について次に説明する。
第１実施例のブースター６が入力部Ａ２，Ａ４の第３ブースター６ａ，３６ａとされた時は、第１入力端子ＩＮ１には入力信号Ｓａ１は入力されない。この時は、ＳＷ１１が図示する状態から切り換えられ、接点ａ１−ｄ１間と接点ａ２−ｄ２間とが接続される。そして、第２入力端子ＩＮ２に入力される入力信号Ｓａ２は、信号Ｓ２（ＢＳ・ＣＳ−ＩＦ右旋＋ＢＳ・ＣＳ−ＩＦ左旋）とされる（入力部Ａ２，Ａ４参照）。この入力信号Ｓａ２は、分波器１０に入力されて信号Ｓａ３と信号Ｓａ４とに分波されるが、分波器１０は図１０（ａ）に示す切換状態と反対側に切り換えられており、分波器１０で分波される信号Ｓａ３は信号Ｓａ６（信号Ｓ２１：ＢＳ・ＣＳ−ＩＦ右旋）とされ、分波器１０で分波された信号Ｓａ４は信号Ｓａ９（信号Ｓ９：ＢＳ・ＣＳ−ＩＦ左旋）とされる。分波された信号Ｓａ６は、ＳＷ１１の接点Ａ２−ｄ２間を介して分波出力端子ＯＵＴ２から出力され、分波された信号Ｓａ９はＡＭＰ１２で増幅されて混合器１３の他方の端子に入力される。
【００４５】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＳＷ１１の接点ｄ１−ａ１間が接続されていることから、混合入力端子ＩＮ３に入力された信号Ｓａ３（Ｓ２２／Ｓ３２）は混合器１３の一方の端子に入力される。混合器１３は図１０（ｂ）に示す切換状態と反対側に切り換えられており、混合器１３では信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。信号Ｓａ５の一部は分岐器１４で分岐されてモニター端子１５から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
電源１７と電源切換部１６については前述したとおりであるので、その説明は省略する。
【００４６】
第１実施例のブースター６がブースターＢ２，Ｂ４の第４ブースター６ｂ，３６ｂに適用された時も、第１入力端子ＩＮ１に入力信号Ｓａ１は入力されず、ＳＷ１１では接点ａ１−ｄ１間と接点ａ２−ｄ２間とが接続される。そして、第２入力端子ＩＮ２に入力される入力信号Ｓａ２は、信号Ｓａ５とされる。この入力された信号Ｓａ５は、分波器１０に入力されて信号Ｓａ３と信号Ｓａ４とに分波されるが、ブースターＢ２，Ｂ４におけるブースター６（第４ブースター６ｂ，３６ｂ）の場合では、分波器１０は図１０（ａ）に示す切換状態と反対側に切り換えられており、分波器１０で分波される信号Ｓａ３は信号Ｓ２２あるいは信号Ｓ３２とされる。この分波された信号Ｓ２２／Ｓ３２は、ＳＷ１１の接点ａ２−ｄ２間を介して出力され、分波出力端子ＯＵＴ２から出力される。また、分波器１０で分波された信号Ｓａ４は信号Ｓ９（ＢＳ・ＣＳ−ＩＦ左旋）とされ、ＡＭＰ１２で増幅されて混合器１３の他方の端子に入力される。
【００４７】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＳＷ１１の接点ｄ１−ａ１間が接続されていることから、混合入力端子ＩＮ３に入力された信号Ｓ２２／Ｓ３２は混合器１３の一方の端子に入力される。混合器１３は図１０（ｂ）に示す切換状態と反対側に切り換えられており、混合器１３では信号Ｓ２２／Ｓ３２と、他方の端子に入力された信号Ｓ９（信号Ｓａ９）とが混合されて、信号Ｓａ５が出力端子ＯＵＴ１から出力される。信号Ｓａ５の一部は分岐器１４で分岐されてモニター端子１５から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
電源１７と電源切換部１６については前述したとおりであるので、その説明は省略する。
【００４８】
ところで、第１実施例のブースター６において、分波器１０で分波された信号Ｓａ４のみを増幅して信号Ｓａ３を増幅しない時は、ＳＷ１１が図示する状態から切り換えられ、接点ａ１−ｃ１間と接点ａ２−ｃ２間とが接続される。これにより、混合器１３では、他方の端子に供給されたＡＭＰ１２で増幅された信号Ｓａ４と、ＳＷ１１を介して一方の端子に入力された分波器１０で分波された信号Ｓａ３とが混合されて、混合された信号Ｓａ５が出力端子ＯＵＴ１から出力される。そして、接点ａ１−ｃ１間と接点ａ２−ｃ２間とが接続されるようＳＷ１１が切り換えられた場合は、分波出力端子ＯＵＴ２から信号が出力されない。すなわち、第１実施例のブースター６をブースターＢ１〜Ｂ４の第４ブースター６ｂ，３６ｂに適用した場合に、既設の第２ブースター５ｂ，３５ｂは利用されないようになる。
【００４９】
次に、本発明にかかる共同受信システムにおいて増設された第３ブースター６ａ，３６ａと第４ブースター６ｂ，３６ｂに適用できる第２実施例のブースター６−２の構成を図１１に示す。
図１１に示す第２実施例のブースター６−２は、第１実施例のブースター６のＳＷ１１をＳＷ１１−２に置き換えると共に、混合入力端子ＩＮ３を省略した構成とされ、それ以外の構成は第１実施例のブースター６の構成と同様とされていることから、異なる構成に関しての説明のみを行い、他の構成の説明は省略する。
第２実施例のブースター６−２が入力部Ａ１，Ａ３の第３ブースター６ａ，３６ａとされた場合について説明すると、この時には、第１実施例のブースター６と同様に第１入力端子ＩＮ１に入力信号Ｓａ１（信号Ｓ１／Ｓ３１）が入力されると共に、ＳＷ１１−２が図示する状態に切り換えられて、接点ａ１−ｂ１間と接点ａ２−ｂ２間とが接続される。これにより、上述した第１実施例のブースター６と同じ動作を行うことから、その説明は省略する。
【００５０】
第２実施例のブースター６−２がブースターＢ１，Ｂ３の第４ブースター６ｂ，３６ｂとされた時は、ＳＷ１１−２が図示する状態から切り換えられ、接点ａ１−ｃ１間と接点ａ２−ｃ２間とが接続される。そして、第２入力端子ＩＮ２に入力される入力信号Ｓａ２は、信号Ｓａ５（ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋）とされる。この入力信号Ｓａ２は、分波器１０に入力されて信号Ｓａ３と信号Ｓａ４とに分波され、分波器１０で分波される信号Ｓａ３は入力信号Ｓａ１（信号Ｓ１／Ｓ３１）とされる。この分波された入力信号Ｓａ１は、ＳＷ１１−２の接点ａ２−ｃ２間を介して出力され、分波出力端子ＯＵＴ２から出力される。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００５１】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された入力信号Ｓａ１はＳＷ１１−２を介して混合器１３の一方の端子に入力される。混合器１３では入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００５２】
次に、第２実施例のブースター６−２が入力部Ａ２，Ａ４のブースターに適用された場合について次に説明する。
第２実施例のブースター６−２が入力部Ａ２，Ａ４の第３ブースター６ａ，３６ａに適用された時は、ＳＷ１１−２が図示する状態から切り換えられ、接点ａ１−ｃ１間と接点ａ２−ｃ２間とが接続される。そして、第２入力端子ＩＮ２に入力される入力信号Ｓａ２は、信号Ｓ２（ＢＳ・ＣＳ−ＩＦ右旋＋ＢＳ・ＣＳ−ＩＦ左旋）とされる（入力部Ａ２，Ａ４参照）。この入力信号Ｓａ２は、分波器１０に入力されて信号Ｓａ３と信号Ｓａ４とに分波されるが、分波器１０は図１０（ａ）に示す切換状態と反対側に切り換えられており、分波器１０で分波される信号Ｓａ３は信号Ｓａ６（信号Ｓ２１：ＢＳ・ＣＳ−ＩＦ右旋）とされ、分波器１０で分波された信号Ｓａ４は信号Ｓａ９（信号Ｓ９：ＢＳ・ＣＳ−ＩＦ左旋）とされる。分波された信号Ｓａ６は、ＳＷ１１−２の接点ａ２−ｃ２間を介して分波出力端子ＯＵＴ２から出力され、分波された信号Ｓａ９はＡＭＰ１２で増幅されて混合器１３の他方の端子に入力される。
【００５３】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された入力信号Ｓａ３（Ｓ２２／Ｓ３２）はＳＷ１１−２を介して混合器１３の一方の端子に入力される。混合器１３は図１０（ｂ）に示す切換状態と反対側に切り換えられており、混合器１３では信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００５４】
第２実施例のブースター６−２がブースターＢ２，Ｂ４の第４ブースター６ｂ，３６ｂに適用された時も、ＳＷ１１−２では接点ａ１−ｃ１間と接点ａ２−ｃ２間とが接続される。そして、第２入力端子ＩＮ２に入力される入力信号Ｓａ２は、信号Ｓａ５とされる。この入力された信号Ｓａ５は、分波器１０に入力されて信号Ｓａ３と信号Ｓａ４とに分波されるが、分波器１０は図１０（ａ）に示す切換状態と反対側に切り換えられており、分波器１０で分波される信号Ｓａ３は信号Ｓ２２あるいは信号Ｓ３２とされる。この分波された信号Ｓ２２／Ｓ３２は、ＳＷ１１−２の接点ａ２−ｃ２間を介して出力され、分波出力端子ＯＵＴ２から出力される。また、分波器１０で分波された信号Ｓａ４は信号Ｓ９（ＢＳ・ＣＳ−ＩＦ左旋）とされ、ＡＭＰ１２で増幅されて混合器１３の他方の端子に入力される。
【００５５】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された信号Ｓ２２／Ｓ３２はＳＷ１１−２を介して混合器１３の一方の端子に入力される。混合器１３は図１０（ｂ）に示す切換状態と反対側に切り換えられており、混合器１３では信号Ｓ２２／Ｓ３２と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
以上説明したように、第２実施例のブースター６−２では、第１入力端子ＩＮ１が混合入力端子を兼用している。
【００５６】
ところで、第２実施例のブースター６−２において、分波器１０で分波された信号Ｓａ４のみを増幅して信号Ｓａ３を増幅しない時は、ＳＷ１１−２が図示する状態から切り換えられ、接点ａ１−ｄ１間と接点ａ２−ｄ２間とが接続される。これにより、混合器１３では、他方の端子に供給されたＡＭＰ１２で増幅された信号Ｓａ４と、ＳＷ１１−２を介して一方の端子に入力された分波器１０で分波された信号Ｓａ３とが混合されて、混合された信号Ｓａ５が出力端子ＯＵＴ１から出力される。そして、接点ａ１−ｄ１間と接点ａ２−ｄ２間とが接続されるようＳＷ１１−２が切り換えられた場合は、分波出力端子ＯＵＴ２からは信号が出力されない。すなわち、第２実施例のブースター６−２をブースターＢ１〜Ｂ４の第４ブースター６ｂ，３６ｂに適用した場合に、既設の第２ブースター５ｂ，３５ｂは利用されないようになる。
【００５７】
次に、本発明にかかる共同受信システムにおいて増設された第３ブースター６ａ，３６ａと第４ブースター６ｂ，３６ｂに適用できる第３実施例のブースター６−３の構成を図１２に示す。
図１２に示す第３実施例のブースター６−３は、第１実施例のブースター６のＳＷ１１をＳＷ１１−３に置き換えると共に、分波出力端子ＯＵＴ２を省略した構成とされ、それ以外の構成は第１実施例のブースター６の構成と同様とされていることから、異なる構成に関しての説明のみを行い、他の構成の説明は省略する。
第３実施例のブースター６−３が入力部Ａ１，Ａ３の第３ブースター６ａ，３６ａとされた場合について説明すると、この時には、第１実施例のブースター６と同様に第１入力端子ＩＮ１に入力信号Ｓａ１（信号Ｓ１／Ｓ３１）が入力されると共に、ＳＷ１１−３が図示する状態に切り換えられて、接点ａ１−ｂ１間と接点ａ２−ｂ２間とが接続される。これにより、上述した第１実施例のブースター６と同じ動作を行うことから、その説明は省略する。
【００５８】
第３実施例のブースター６−３がブースターＢ１，Ｂ３の第４ブースター６ｂ，３６ｂとされた時は、ＳＷ１１−３が図示する状態から切り換えられ、接点ａ１−ｄ１間と接点ａ２−ｄ２間とが接続される。そして、第２入力端子ＩＮ２に入力される入力信号Ｓａ２は、信号Ｓａ５（ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋）とされる。この入力信号Ｓａ２は、分波器１０に入力されて信号Ｓａ３と信号Ｓａ４とに分波され、分波器１０で分波される信号Ｓａ３は入力信号Ｓａ１（信号Ｓ１／Ｓ３１）とされる。この分波された入力信号Ｓａ１は、ＳＷ１１−３の接点ｂ１−ｄ２間は固定で接続されていると共に、接点ｄ２−ａ２間が接続されることから、接点ａ２−ｄ２−ｂ１の経路を介して第１入力端子ＩＮ１から出力される。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００５９】
第１入力端子ＩＮ１から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＳＷ１１−３の接点ｄ１−ａ１間が接続されることから、混合入力端子ＩＮ３に入力された入力信号Ｓａ１はＳＷ１１−３を介して混合器１３の一方の端子に入力される。混合器１３では入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００６０】
次に、第３実施例のブースター６−３が入力部Ａ２，Ａ４のブースターに適用された場合について次に説明する。
第３実施例のブースター６−３が入力部Ａ２，Ａ４の第３ブースター６ａ，３６ａに適用された時は、ＳＷ１１−３が図示する状態から切り換えられ、接点ａ１−ｄ１間と接点ａ２−ｄ２間とが接続される。そして、第２入力端子ＩＮ２に入力される入力信号Ｓａ２は、信号Ｓ２（ＢＳ・ＣＳ−ＩＦ右旋＋ＢＳ・ＣＳ−ＩＦ左旋）とされる（入力部Ａ２，Ａ４参照）。この入力信号Ｓａ２は、分波器１０に入力されて信号Ｓａ３と信号Ｓａ４とに分波されるが、分波器１０は図１０（ａ）に示す切換状態と反対側に切り換えられており、分波器１０で分波される信号Ｓａ３は信号Ｓａ６（信号Ｓ２１：ＢＳ・ＣＳ−ＩＦ右旋）とされ、分波器１０で分波された信号Ｓａ４は信号Ｓａ９（信号Ｓ９：ＢＳ・ＣＳ−ＩＦ左旋）とされる。ＳＷ１１−３の接点ｂ１−ｄ２間は固定で接続されていると共に、接点ｄ２−ａ２間が接続されることから、分波された信号Ｓａ６は、接点ａ２−ｄ２−ｂ１の経路を介して第１入力端子ＩＮ１から出力され、分波された信号Ｓａ９はＡＭＰ１２で増幅されて混合器１３の他方の端子に入力される。
【００６１】
第１入力端子ＩＮ１から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＳＷ１１−３の接点ｄ１−ａ１間が接続されることから、混合入力端子ＩＮ３に入力された入力信号Ｓａ３（Ｓ２２／Ｓ３２）はＳＷ１１−３を介して混合器１３の一方の端子に入力される。混合器１３は図１０（ｂ）に示す切換状態と反対側に切り換えられており、混合器１３では信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００６２】
第３実施例のブースター６−３がブースターＢ２，Ｂ４の第４ブースター６ｂ，３６ｂに適用された時も、ＳＷ１１−３では接点ａ１−ｄ１間と接点ａ２−ｄ２間とが接続される。そして、第２入力端子ＩＮ２に入力される入力信号Ｓａ２は、信号Ｓａ５とされる。この入力された信号Ｓａ５は、分波器１０に入力されて信号Ｓａ３と信号Ｓａ４とに分波されるが、分波器１０は図１０（ａ）に示す切換状態と反対側に切り換えられており、分波器１０で分波される信号Ｓａ３は信号Ｓ２２あるいは信号Ｓ３２とされる。この分波された信号Ｓ２２／Ｓ３２は、ＳＷ１１−３の接点ｂ１−ｄ２間は固定で接続されていると共に、接点ｄ２−ａ２間が接続されることから、接点ａ２−ｄ２−ｂ１の経路を介して第１入力端子ＩＮ１から出力される。また、分波器１０で分波された信号Ｓａ４は信号Ｓ９（ＢＳ・ＣＳ−ＩＦ左旋）とされ、ＡＭＰ１２で増幅されて混合器１３の他方の端子に入力される。
【００６３】
第１入力端子ＩＮ１から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＳＷ１１−３の接点ｄ１−ａ１間が接続されることから、混合入力端子ＩＮ３に入力された信号Ｓ２２／Ｓ３２はＳＷ１１−３を介して混合器１３の一方の端子に入力される。混合器１３は図１０（ｂ）に示す切換状態と反対側に切り換えられており、混合器１３では信号Ｓ２２／Ｓ３２と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
以上説明したように、第３実施例のブースター６−３では、第１入力端子ＩＮ１が分波出力端子を兼用している。
【００６４】
ところで、第３実施例のブースター６−３において、分波器１０で分波された信号Ｓａ４のみを増幅して信号Ｓａ３を増幅しない時は、ＳＷ１１−３が図示する状態から切り換えられ、接点ａ１−ｃ１間と接点ａ２−ｃ２間とが接続される。これにより、混合器１３では、他方の端子に供給されたＡＭＰ１２で増幅された信号Ｓａ４と、ＳＷ１１−３を介して一方の端子に入力された分波器１０で分波された信号Ｓａ３とが混合されて、混合された信号Ｓａ５が出力端子ＯＵＴ１から出力される。そして、接点ａ１−ｃ１間と接点ａ２−ｃ２間とが接続されるようＳＷ１１−３が切り換えられた場合は、分波出力端子を兼用する第１入力端子ＩＮ１からは信号が出力されない。すなわち、第３実施例のブースター６−３をブースターＢ１〜Ｂ４の第４ブースター６ｂ，３６ｂに適用した場合に、既設の第２ブースター５ｂ，３５ｂは利用されないようになる。
【００６５】
次に、本発明にかかる共同受信システムにおいて増設された第３ブースター６ａ，３６ａと第４ブースター６ｂ，３６ｂに適用できる第４実施例のブースター６−４の構成を図１３に示す。
図１３に示す第４実施例のブースター６−４は、第１実施例のブースター６において分波出力端子ＯＵＴ２と混合入力端子ＩＮ３のオン／オフをリレーで行う構成とされており、第１実施例のブースター６に２つのリレーが追加されると共に、直流カット用のコンデンサを備える構成とされ、それ以外の構成は第１実施例のブースター６の構成と同様とされていることから、異なる構成に関しての説明のみを行い、他の構成の説明は省略する。
第４実施例のブースター６−４が入力部Ａ１，Ａ３の第３ブースター６ａ，３６ａとされた場合について説明すると、この時には、第１実施例のブースター６と同様に第１入力端子ＩＮ１に入力信号Ｓａ１（信号Ｓ１／Ｓ３１）が入力されると共に、ＳＷ１１が図示する状態に切り換えられて、接点ａ１−ｂ１間と接点ａ２−ｂ２間とが接続される。これにより、第１リレー１（ＲＹ１）および第２リレー２（ＲＹ２）には電源１７からの動作電源が供給されず、図示した切換状態となり、上述した第１実施例のブースター６と同じ動作を行う。ただし、第１入力端子ＩＮ１に入力された入力信号Ｓａ１は、コンデンサＣ１とＳＷ１１の接点ｂ１−ａ１とコンデンサＣ３とＲＹ２の接点ｃ１３−ａ１３を介して混合器１３の一方の端子に入力される。また、分波器１０で分波された信号Ｓａ３（この場合はノイズ成分のみ）は、ＲＹ１の接点ａ１２−ｂ１２間とコンデンサＣ２を介してＳＷ１１の接点ａ２に供給され、接点ａ２−ｂ２間を介して終端抵抗Ｒ１で終端される。その他の動作は第１実施例のブースター６と同様とされることから、その説明は省略する。
なお、コンデンサＣ１，Ｃ２，Ｃ３は直流カット用のコンデンサであり、電源１７からの動作電源が不要の部位に印加されないようにしており、電源１７とＳＷ１１間に挿入されたＬ２は信号が電源１７側へ漏洩することを防止するチョークコイルである。
【００６６】
第４実施例のブースター６−４がブースターＢ１，Ｂ３の第４ブースター６ｂ，３６ｂとされた時は、ＳＷ１１が図示する状態から切り換えられ、接点ａ１−ｄ１間と接点ａ２−ｄ２間とが接続される。これにより、ＲＹ１，ＲＹ２にＳＷ１１の接点ａ１−ｄ１を介して動作電源が供給され、ＲＹ１，ＲＹ２は図示する切換状態の反対側へ切り換えられる。すなわち、分波器１０で分波された信号Ｓａ３は、ＲＹ１の接点ａ１２−ｃ１２間を介して分波出力端子ＯＵＴ２から出力される。この場合の信号Ｓａ３は、入力信号Ｓａ１（信号Ｓ１／Ｓ３１）とされる。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００６７】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＲＹ２の接点ｂ１３−ａ１３間が接続されることから、混合入力端子ＩＮ３に入力された入力信号Ｓａ１はＲＹ２を介して混合器１３の一方の端子に入力される。混合器１３では、入力信号Ｓａ１と、他方の端子に入力された信号Ｓ２（信号Ｓａ７）とが混合されて、信号Ｓａ５が出力端子ＯＵＴ１から出力される。信号Ｓａ５の一部は分岐器１４で分岐されてモニター端子１５から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００６８】
次に、第４実施例のブースター６−４が入力部Ａ２，Ａ４のブースターに適用された場合について次に説明する。
第４実施例のブースター６−４が入力部Ａ２，Ａ４の第３ブースター６ａ，３６ａとされた時は、第１入力端子ＩＮ１には入力信号Ｓａ１は入力されない。この時は、ＳＷ１１が図示する状態から切り換えられ、接点ａ１−ｄ１間と接点ａ２−ｄ２間とが接続される。これにより、ＲＹ１，ＲＹ２にＳＷ１１の接点ａ１−ｄ１を介して動作電源が供給され、ＲＹ１，ＲＹ２は図示する切換状態の反対側へ切り換えられる。すなわち、分波器１０で分波された信号Ｓａ３は、ＲＹ１の接点ａ１２−ｃ１２間を介して分波出力端子ＯＵＴ２から出力される。この場合の信号Ｓａ３は、Ｓａ６（信号Ｓ２１：ＢＳ・ＣＳ−ＩＦ右旋）とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【００６９】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＲＹ２の接点ｂ１３−ａ１３間が接続されることから、混合入力端子ＩＮ３に入力された信号Ｓａ３（Ｓ２２／Ｓ３２）はＲＹ２を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００７０】
第４実施例のブースター６−４がブースターＢ２，Ｂ４の第４ブースター６ｂ，３６ｂに適用された時も、第１入力端子ＩＮ１に入力信号Ｓａ１は入力されず、ＳＷ１１では接点ａ１−ｄ１間と接点ａ２−ｄ２間とが接続される。これにより、ＲＹ１，ＲＹ２にＳＷ１１の接点ａ１−ｄ１を介して動作電源が供給され、ＲＹ１，ＲＹ２は図示する切換状態の反対側へ切り換えられる。すなわち、分波器１０で分波された信号Ｓａ３は、ＲＹ１の接点ａ１２−ｃ１２間を介して分波出力端子ＯＵＴ２から出力される。この場合の信号Ｓａ３は、信号Ｓ２２あるいは信号Ｓ３２とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【００７１】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＲＹ２の接点ｂ１３−ａ１３間が接続されることから、混合入力端子ＩＮ３に入力された信号Ｓａ３（Ｓ２２／Ｓ３２）はＲＹ２を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００７２】
ところで、第４実施例のブースター６−４において、分波器１０で分波された信号Ｓａ４のみを増幅して信号Ｓａ３を増幅しない時は、ＳＷ１１が図示する状態から切り換えられ、接点ａ１−ｃ１間と接点ａ２−ｃ２間とが接続される。ＲＹ１，ＲＹ２には電源１７からの動作電源が供給されず、図示した切換状態となり、混合器１３では、他方の端子に供給されたＡＭＰ１２で増幅された信号Ｓａ４と、ＳＷ１１を介して一方の端子に入力された分波器１０で分波された信号Ｓａ３とが混合されて、混合された信号Ｓａ５が出力端子ＯＵＴ１から出力される。そして、接点ａ１−ｃ１間と接点ａ２−ｃ２間とが接続されるようＳＷ１１が切り換えられた場合は、ＲＹ１の作用により分波出力端子ＯＵＴ２からは信号が出力されない。すなわち、第４実施例のブースター６−４をブースターＢ１〜Ｂ４の第４ブースター６ｂ，３６ｂに適用した場合に、既設の第２ブースター５ｂ，３５ｂは利用されないようになる。
【００７３】
次に、本発明にかかる共同受信システムにおいて増設された第３ブースター６ａ，３６ａと第４ブースター６ｂ，３６ｂに適用できる第５実施例のブースター６−５の構成を図１４に示す。
図１４に示す第４実施例のブースター６−５は、第２実施例のブースター６−２において分波出力端子ＯＵＴ２のオン／オフをリレーで行う構成とされており、第２実施例のブースター６−２に１つのリレーが追加されると共に、直流カット用のコンデンサを備えた構成とされている。これ以外の構成は第２実施例のブースター６−２の構成と同様とされていることから、異なる構成に関しての説明のみを行い、他の構成の説明は省略する。
第５実施例のブースター６−５が入力部Ａ１，Ａ３の第３ブースター６ａ，３６ａとされた場合について説明すると、この時には、第２実施例のブースター６−２と同様に第１入力端子ＩＮ１に入力信号Ｓａ１（信号Ｓ１／Ｓ３１）が入力されると共に、ＳＷ１１−２が図示する状態に切り換えられて、接点ａ１−ｂ１間と接点ａ２−ｂ２間とが接続される。これにより、第１リレー１（ＲＹ１）には電源１７からの動作電源が供給されず、図示した切換状態となり、上述した第２実施例のブースター６−２と同じ動作を行う。ただし、第１入力端子ＩＮ１に入力された入力信号Ｓａ１は、コンデンサＣ１とＳＷ１１−２の接点ｂ１−ａ１とコンデンサＣ３とを介して混合器１３の一方の端子に入力される。また、分波器１０で分波された信号Ｓａ３（この場合はノイズ成分のみ）は、ＲＹ１の接点ａ１２−ｂ１２間とコンデンサＣ２を介してＳＷ１１の接点ａ２に供給され、接点ａ２−ｂ２間とコンデンサＣ４とを介して終端抵抗Ｒ１で終端される。その他の動作は第２実施例のブースター６−２と同様とされることから、その説明は省略する。
なお、コンデンサＣ１，Ｃ２，Ｃ３，Ｃ４は直流カット用のコンデンサであり、電源１７からの動作電源が不要の部位に印加されないようにしており、電源１７とＳＷ１１−２間に挿入されたＬ２は信号が電源１７側へ漏洩することを防止するチョークコイルである。
【００７４】
第５実施例のブースター６−５がブースターＢ１，Ｂ３の第４ブースター６ｂ，３６ｂとされた時は、ＳＷ１１−２が図示する状態から切り換えられ、接点ａ１−ｃ１間と接点ａ２−ｃ２間とが接続される。これにより、ＲＹ１にＳＷ１１−２の接点ａ２−ｃ２間を介して動作電源が供給され、ＲＹ１は図示する切換状態の反対側へ切り換えられる。すなわち、分波器１０で分波された信号Ｓａ３は、ＲＹ１の接点ａ１２−ｃ１２間を介して分波出力端子ＯＵＴ２から出力される。この場合の信号Ｓａ３は、入力信号Ｓａ１（信号Ｓ１／Ｓ３１）とされる。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００７５】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された入力信号Ｓａ１はＳＷ１１−２とコンデンサＣ３とを介して混合器１３の一方の端子に入力される。混合器１３では入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００７６】
次に、第５実施例のブースター６−５が入力部Ａ２，Ａ４のブースターに適用された場合について次に説明する。
第５実施例のブースター６−５が入力部Ａ２，Ａ４の第３ブースター６ａ，３６ａに適用された時は、ＳＷ１１−２が図示する状態から切り換えられ、接点ａ１−ｃ１間と接点ａ２−ｃ２間とが接続される。これにより、ＲＹ１にＳＷ１１の接点ａ２−ｃ２間を介して動作電源が供給され、ＲＹ１は図示する切換状態の反対側へ切り換えられる。すなわち、分波器１０で分波された信号Ｓａ３は、ＲＹ１の接点ａ１２−ｃ１２間を介して分波出力端子ＯＵＴ２から出力される。この場合の信号Ｓａ３は、Ｓａ６（信号Ｓ２１：ＢＳ・ＣＳ−ＩＦ右旋）とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【００７７】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された入力信号Ｓａ３（Ｓ２２／Ｓ３２）は、コンデンサＣ１とＳＷ１１−２とコンデンサＣ３とを介して混合器１３の一方の端子に入力される。混合器１３では信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００７８】
第５実施例のブースター６−５がブースターＢ２，Ｂ４の第４ブースター６ｂ，３６ｂに適用された時も、ＳＷ１１−２では接点ａ１−ｃ１間と接点ａ２−ｃ２間とが接続される。これにより、ＲＹ１にＳＷ１１−２の接点ａ２−ｃ２を介して動作電源が供給され、ＲＹ１は図示する切換状態の反対側へ切り換えられる。そして、第２入力端子ＩＮ２に入力される入力信号Ｓａ２は、信号Ｓａ５とされる。この入力された信号Ｓａ５は、分波器１０に入力されて信号Ｓａ３と信号Ｓａ４とに分波され、分波器１０で分波される信号Ｓａ３は信号Ｓ２２あるいは信号Ｓ３２とされる。この分波された信号Ｓ２２／Ｓ３２は、ＲＹ１の接点ａ１２−ｃ１２間を介して分波出力端子ＯＵＴ２から出力される。また、分波器１０で分波された信号Ｓａ４は信号Ｓ９（ＢＳ・ＣＳ−ＩＦ左旋）とされ、ＡＭＰ１２で増幅されて混合器１３の他方の端子に入力される。
【００７９】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は第１入力端子ＩＮ１に入力される。ＳＷ１１−２の接点ｂ１−ｃ１間は固定で接続されていると共に、接点ｃ１−ａ１間が接続されることから、第１入力端子ＩＮ１に入力された信号Ｓ２２／Ｓ３２は、コンデンサＣ１とＳＷ１１−２とコンデンサＣ３とを介して混合器１３の一方の端子に入力される。混合器１３では信号Ｓ２２／Ｓ３２と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
以上説明したように、第５実施例のブースター６−５では、第１入力端子ＩＮ１が混合入力端子を兼用している。
【００８０】
ところで、第５実施例のブースター６−５において、分波器１０で分波された信号Ｓａ４のみを増幅して信号Ｓａ３を増幅しない時は、ＳＷ１１−２が図示する状態から切り換えられ、接点ａ１−ｄ１間と接点ａ２−ｄ２間とが接続される。ＲＹ１には電源１７からの動作電源が供給されず、図示した切換状態となり、混合器１３では、他方の端子に供給されたＡＭＰ１２で増幅された信号Ｓａ４と、ＳＷ１１−２を介して一方の端子に入力された分波器１０で分波された信号Ｓａ３とが混合されて、混合された信号Ｓａ５が出力端子ＯＵＴ１から出力される。そして、接点ａ１−ｄ１間と接点ａ２−ｄ２間とが接続されるようＳＷ１１−２が切り換えられた場合は、ＲＹ１の作用により分波出力端子ＯＵＴ２からは信号が出力されない。すなわち、第５実施例のブースター６−５をブースターＢ１〜Ｂ４の第４ブースター６ｂ，３６ｂに適用した場合に、既設の第２ブースター５ｂ，３５ｂは利用されないようになる。
【００８１】
次に、本発明にかかる共同受信システムにおいて増設された第３ブースター６ａ，３６ａと第４ブースター６ｂ，３６ｂに適用できる第６実施例のブースター６−６の構成を図１５に示す。
図１５に示す第６実施例のブースター６−６は、第３実施例のブースター６−３において混合入力端子ＩＮ３のオン／オフをリレーで行う構成とされており、第３実施例のブースター６−３に１つのリレーが追加されると共に、直流カット用のコンデンサを備えた構成とされている。これ以外の構成は第３実施例のブースター６−３の構成と同様とされていることから、異なる構成に関しての説明のみを行い、他の構成の説明は省略する。
第６実施例のブースター６−６が入力部Ａ１，Ａ３の第３ブースター６ａ，３６ａとされた場合について説明すると、この時には、第３実施例のブースター６−３と同様に第１入力端子ＩＮ１に入力信号Ｓａ１（信号Ｓ１／Ｓ３１）が入力されると共に、ＳＷ１１−３が図示する状態に切り換えられて、接点ａ１−ｂ１間と接点ａ２−ｂ２間とが接続される。これにより、第２リレー２（ＲＹ２）には電源１７からの動作電源が供給されず、図示した切換状態となり、上述した第３実施例のブースター６−３と同じ動作を行う。ただし、第１入力端子ＩＮ１に入力された入力信号Ｓａ１は、コンデンサＣ１とＳＷ１１−３の接点ｂ１−ａ１間とコンデンサＣ３と、ＲＹ２の接点ｃ１３−ａ１３間を介して混合器１３の一方の端子に入力される。また、分波器１０で分波された信号Ｓａ３（この場合はノイズ成分のみ）は、コンデンサＣ２を介してＳＷ１１−３の接点ａ２に供給され、接点ａ２−ｂ２間を介して終端抵抗Ｒ１で終端される。その他の動作は第３実施例のブースター６−３と同様とされることから、その説明は省略する。
なお、コンデンサＣ１，Ｃ２，Ｃ３は直流カット用のコンデンサであり、電源１７からの動作電源が不要の部位に印加されないようにしており、電源１７とＳＷ１１−３間に挿入されたＬ２は信号が電源１７側へ漏洩することを防止するチョークコイルである。
【００８２】
第６実施例のブースター６−６がブースターＢ１，Ｂ３の第４ブースター６ｂ，３６ｂとされた時は、ＳＷ１１−３が図示する状態から切り換えられ、接点ａ１−ｄ１間と接点ａ２−ｄ２間とが接続される。これにより、電源１７からチョークコイルＬ２とＳＷ１１−３の接点ａ１−ｄ１間を介してＲＹ２に動作電源が供給され、ＲＹ２は図示する切換状態の反対側へ切り換えられる。そして、第２入力端子ＩＮ２に入力される入力信号Ｓａ２は、信号Ｓａ５（ＦＭ＋ＵＨＦ＋ＢＳ・ＣＳ−ＩＦ右旋＋ＢＳ・ＣＳ−ＩＦ左旋／ＣＡＴＶ＋ＢＳ・ＣＳ−ＩＦ右旋＋ＢＳ・ＣＳ−ＩＦ左旋）とされる。この入力信号Ｓａ２は、分波器１０に入力されて信号Ｓａ３と信号Ｓａ４とに分波され、分波器１０で分波される信号Ｓａ３は入力信号Ｓａ１（信号Ｓ１／Ｓ３１）とされる。この分波された入力信号Ｓａ１は、ＳＷ１１−３の接点ｂ１−ｄ２間は固定で接続されていると共に、接点ｄ２−ａ２間が接続されることから、コンデンサＣ２と接点ａ２−ｄ２−ｂ１の経路とコンデンサＣ１とを介して第１入力端子ＩＮ１から出力される。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００８３】
第１入力端子ＩＮ１から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＲＹ２の接点ｂ１３−ａ１３間が接続されることから、混合入力端子ＩＮ３に入力された入力信号Ｓａ１はＲＹ２を介して混合器１３の一方の端子に入力される。混合器１３では入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００８４】
次に、第６実施例のブースター６−６が入力部Ａ２，Ａ４のブースターに適用された場合について次に説明する。
第６実施例のブースター６−６が入力部Ａ２，Ａ４の第３ブースター６ａ，３６ａに適用された時は、ＳＷ１１−３が図示する状態から切り換えられ、接点ａ１−ｄ１間と接点ａ２−ｄ２間とが接続される。これにより、電源１７からチョークコイルＬ２とＳＷ１１−３の接点ａ１−ｄ１間を介してＲＹ２に動作電源が供給され、ＲＹ２は図示する切換状態の反対側へ切り換えられる。そして、第２入力端子ＩＮ２に入力される入力信号Ｓａ２は、信号Ｓ２（ＢＳ・ＣＳ−ＩＦ右旋＋ＢＳ・ＣＳ−ＩＦ左旋）とされる（入力部Ａ２，Ａ４参照）。この入力信号Ｓａ２は、分波器１０に入力されて信号Ｓａ３と信号Ｓａ４とに分波され、分波器１０で分波される信号Ｓａ３は信号Ｓａ６（信号Ｓ２１：ＢＳ・ＣＳ−ＩＦ右旋）とされ、分波器１０で分波された信号Ｓａ４は信号Ｓａ９（信号Ｓ９：ＢＳ・ＣＳ−ＩＦ左旋）とされる。ＳＷ１１−３の接点ｂ１−ｄ２間は固定で接続されていると共に、接点ｄ２−ａ２間が接続されることから、分波された信号Ｓａ６は、コンデンサＣ２と接点ａ２−ｄ２−ｂ１の経路とコンデンサＣ１とを介して第１入力端子ＩＮ１から出力され、分波された信号Ｓａ９はＡＭＰ１２で増幅されて混合器１３の他方の端子に入力される。
【００８５】
第１入力端子ＩＮ１から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＲＹ２の接点ｂ１３−ａ１３間が接続されることから、混合入力端子ＩＮ３に入力された入力信号Ｓａ３（Ｓ２２／Ｓ３２）はＲＹ２を介して混合器１３の一方の端子に入力される。混合器１３では信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００８６】
第６実施例のブースター６−６がブースターＢ２，Ｂ４の第４ブースター６ｂ，３６ｂに適用された時も、ＳＷ１１−３では接点ａ１−ｄ１間と接点ａ２−ｄ２間とが接続される。これにより、電源１７からチョークコイルＬ２とＳＷ１１−３の接点ａ１−ｄ１間を介してＲＹ２に動作電源が供給され、ＲＹ２は図示する切換状態の反対側へ切り換えられる。そして、第２入力端子ＩＮ２に入力される入力信号Ｓａ２は、信号Ｓａ５とされる。この入力された信号Ｓａ５は、分波器１０に入力されて信号Ｓａ３と信号Ｓａ４とに分波され、分波器１０で分波される信号Ｓａ３は信号Ｓ２２あるいは信号Ｓ３２とされる。この分波された信号Ｓ２２／Ｓ３２は、ＳＷ１１−３の接点ｂ１−ｄ２間は固定で接続されていると共に、接点ｄ２−ａ２間が接続されることから、コンデンサＣ２と接点ａ２−ｄ２−ｂ１の経路とコンデンサＣ１とを介して第１入力端子ＩＮ１から出力され、分波された信号Ｓａ４は信号Ｓ９（ＢＳ・ＣＳ−ＩＦ左旋）とされ、信号Ｓａ９はＡＭＰ１２で増幅されて混合器１３の他方の端子に入力される。
【００８７】
第１入力端子ＩＮ１から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＲＹ２の接点ｂ１３−ａ１３間が接続されることから、混合入力端子ＩＮ３に入力された信号Ｓ２２／Ｓ３２はＲＹ２を介して混合器１３の一方の端子に入力される。混合器１３では信号Ｓ２２／Ｓ３２と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
以上説明したように、第６実施例のブースター６−６では、第１入力端子ＩＮ１が分波出力端子を兼用している。
【００８８】
ところで、第６実施例のブースター６−６において、分波器１０で分波された信号Ｓａ４のみを増幅して信号Ｓａ３を増幅しない時は、ＳＷ１１−３が図示する状態から切り換えられ、接点ａ１−ｃ１間と接点ａ２−ｃ２間とが接続される。ＲＹ２には電源１７からの動作電源が供給されず、図示した切換状態となり、混合器１３では、他方の端子に供給されたＡＭＰ１２で増幅された信号Ｓａ４と、ＳＷ１１−３を介して一方の端子に入力された分波器１０で分波された信号Ｓａ３とが混合されて、混合された信号Ｓａ５が出力端子ＯＵＴ１から出力される。そして、接点ａ１−ｃ１間と接点ａ２−ｃ２間とが接続されるようＳＷ１１−３が切り換えられた場合は、分波出力端子を兼用する第１入力端子ＩＮ１からは信号が出力されない。すなわち、第６実施例のブースター６−６をブースターＢ１〜Ｂ４の第４ブースター６ｂ，３６ｂに適用した場合に、既設の第２ブースター５ｂ，３５ｂは利用されないようになる。
【００８９】
次に、本発明にかかる共同受信システムにおいて増設された第３ブースター６ａ，３６ａと第４ブースター６ｂ，３６ｂに適用できる第７実施例のブースター６−７の構成を図１６に示す。
図１６に示す第７実施例のブースター６−７は、第１実施例のブースター６において分波出力端子ＯＵＴ２と混合入力端子ＩＮ３のオン／オフを手動スイッチで行う構成とされており、第１実施例のブースター６に２つの手動スイッチが追加されると共に、ＳＷ１１をＳＷ１１−７に置き換えた構成とされ、それ以外の構成は第１実施例のブースター６の構成と同様とされていることから、異なる構成に関しての説明のみを行い、他の構成の説明は省略する。
第７実施例のブースター６−７が入力部Ａ１，Ａ３の第３ブースター６ａ，３６ａとされた場合について説明すると、この時には、第１実施例のブースター６と同様に第１入力端子ＩＮ１に入力信号Ｓａ１（信号Ｓ１／Ｓ３１）が入力されると共に、ＳＷ１１−７が図示する状態に切り換えられて、接点ａ１−ｂ１間と接点ａ２−ｂ２間とが接続される。また、第１追加スイッチ７１（ＳＷ７１）および第２追加スイッチ７２（ＳＷ７２）も図示するように切り換えられてＳＷ７１の接点ａ７１−ｂ７１間とＳＷ７２の接点ａ７２−ｃ７２間が接続される。これにより、上述した第１実施例のブースター６と同じ動作を行う。すなわち、第１入力端子ＩＮ１に入力された入力信号Ｓａ１は、ＳＷ１１−７の接点ｂ１−ａ１間とＳＷ７２の接点ａ７２−ｃ７２間とを介して混合器１３の一方の端子に入力される。また、分波器１０で分波された信号Ｓａ３（この場合はノイズ成分のみ）は、ＳＷ７１の接点ａ７１−ｂ７１間とを介してＳＷ１１−７の接点ａ２に供給され、接点ａ２−ｂ２間を介して終端抵抗Ｒ１で終端される。その他の動作は第１実施例のブースター６と同様とされることから、その説明は省略する。なお、ＳＷ７１とＳＷ７２とは連動して切り換えられる。
【００９０】
第７実施例のブースター６−７がブースターＢ１，Ｂ３の第４ブースター６ｂ，３６ｂとされた時は、ＳＷ７１およびＳＷ７２は図示する状態と反対側に連動して切り換えられてＳＷ７１の接点ａ７１−ｃ７１間とＳＷ７２の接点ａ７２−ｂ７２間が接続される。すなわち、分波器１０で分波された信号Ｓａ３は、ＳＷ７１の接点ａ７１−ｃ７１間を介して分波出力端子ＯＵＴ２から出力される。この場合の信号Ｓａ３は、入力信号Ｓａ１（信号Ｓ１／Ｓ３１）とされる。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００９１】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＳＷ７２の接点ａ７２−ｂ７２間が接続されることから、混合入力端子ＩＮ３に入力された入力信号Ｓａ１はＳＷ７２を介して混合器１３の一方の端子に入力される。混合器１３では、入力信号Ｓａ１と、他方の端子に入力された信号Ｓ２（信号Ｓａ７）とが混合されて、信号Ｓａ５が出力端子ＯＵＴ１から出力される。信号Ｓａ５の一部は分岐器１４で分岐されてモニター端子１５から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００９２】
次に、第７実施例のブースター６−７が入力部Ａ２，Ａ４のブースターに適用された場合について次に説明する。
第７実施例のブースター６−７が入力部Ａ２，Ａ４の第３ブースター６ａ，３６ａとされた時は、第１入力端子ＩＮ１には入力信号Ｓａ１は入力されない。ＳＷ７１およびＳＷ７２は図示する状態と反対側に連動して切り換えられてＳＷ７１の接点ａ７１−ｃ７１間とＳＷ７２の接点ａ７２−ｂ７２間が接続される。すなわち、分波器１０で分波された信号Ｓａ３は、ＳＷ７１の接点ａ７１−ｃ７１間を介して分波出力端子ＯＵＴ２から出力される。この場合の信号Ｓａ３は、Ｓａ６（信号Ｓ２１：ＢＳ・ＣＳ−ＩＦ右旋）とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【００９３】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＳＷ７２の接点ｂ７２−ａ７２間が接続されることから、混合入力端子ＩＮ３に入力された信号Ｓａ３（Ｓ２２／Ｓ３２）はＳＷ７２を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００９４】
第７実施例のブースター６−７がブースターＢ２，Ｂ４の第４ブースター６ｂ，３６ｂに適用された時も、第１入力端子ＩＮ１に入力信号Ｓａ１は入力されない。ＳＷ７１，ＳＷ７２は図示する切換状態の反対側へ連動して切り換えられる。すなわち、分波器１０で分波された信号Ｓａ３は、ＳＷ７１の接点ａ７１−ｃ７１間を介して分波出力端子ＯＵＴ２から出力される。この場合の信号Ｓａ３は、信号Ｓ２２あるいは信号Ｓ３２とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【００９５】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＳＷ７２の接点ｂ７２−ａ７２間が接続されることから、混合入力端子ＩＮ３に入力された信号Ｓａ３（Ｓ２２／Ｓ３２）はＳＷ７２を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
【００９６】
次に、本発明にかかる共同受信システムにおいて増設された第３ブースター６ａ，３６ａと第４ブースター６ｂ，３６ｂに適用できる第８実施例のブースター６−８の構成を図１７に示す。
図１７に示す第８実施例のブースター６−８は、第７実施例のブースター６−７においてＳＷ７１およびＳＷ７２を電子（電気）的にオン／オフできるスイッチに置き換えるとと共に、このスイッチを連動して切り換えるスイッチを追加した構成とされており、それ以外の構成は第７実施例のブースター６−７の構成と同様とされていることから、異なる構成に関しての説明のみを行い、他の構成の説明は省略する。
第８実施例のブースター６−８が入力部Ａ１，Ａ３の第３ブースター６ａ，３６ａとされた場合について説明すると、この時には、第７実施例のブースター６と同様に第１入力端子ＩＮ１に入力信号Ｓａ１（信号Ｓ１／Ｓ３１）が入力されると共に、ＳＷ１１−７が図示する状態に切り換えられて、接点ａ１−ｂ１間と接点ａ２−ｂ２間とが接続される。また、第３追加スイッチ８３（ＳＷ８３）が図示する状態に切り換えられ、電源17からの動作電源がＳＷ８３を介してＳＷ８１およびＳＷ８２に印加されないことから、ＳＷ８１およびＳＷ８２も図示するように切り換えられてＳＷ８１の接点ａ８１−ｂ８１間とＳＷ８２の接点ａ８２−ｃ８２間が接続される。これにより、上述した第７実施例のブースター６−７と同じ動作を行う。すなわち、第１入力端子ＩＮ１に入力された入力信号Ｓａ１は、ＳＷ１１−７の接点ｂ１−ａ１間とＳＷ８２の接点ａ８２−ｃ８２間とを介して混合器１３の一方の端子に入力される。また、分波器１０で分波された信号Ｓａ３（この場合はノイズ成分のみ）は、ＳＷ８１の接点ａ８１−ｂ８１間とを介してＳＷ１１−７の接点ａ２に供給され、接点ａ２−ｂ２間を介して終端抵抗Ｒ１で終端される。その他の動作は第７実施例のブースター６−７と同様とされることから、その説明は省略する。
【００９７】
第８実施例のブースター６−８がブースターＢ１，Ｂ３の第４ブースター６ｂ，３６ｂとされた時は、ＳＷ８３が図示する状態と反対側に切り換えられ、電源１７からの動作電源がＳＷ８３の接点ａ８３−ｃ８３間を介してＳＷ８１およびＳＷ８２に印加される。これにより、ＳＷ８１およびＳＷ８２も図示する状態と反対側に切り換えられてＳＷ８１の接点ａ８１−ｃ８１間とＳＷ８２の接点ａ８２−ｂ８２間が接続される。すなわち、分波器１０で分波された信号Ｓａ３は、ＳＷ８１の接点ａ８１−ｃ８１間を介して分波出力端子ＯＵＴ２から出力される。この場合の信号Ｓａ３は、入力信号Ｓａ１（信号Ｓ１／Ｓ３１）とされる。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【００９８】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。ＳＷ８２の接点ａ８２−ｂ８２間が接続されることから、混合入力端子ＩＮ３に入力された入力信号Ｓａ１はＳＷ８２を介して混合器１３の一方の端子に入力される。混合器１３では、入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【００９９】
次に、第８実施例のブースター６−８が入力部Ａ２，Ａ４のブースターに適用された場合について次に説明する。
第８実施例のブースター６−８が入力部Ａ２，Ａ４の第３ブースター６ａ，３６ａとされた時は、第１入力端子ＩＮ１には入力信号Ｓａ１は入力されない。ＳＷ８３が図示する状態と反対側に切り換えられ、電源１７からの動作電源がＳＷ８３の接点ａ８３−ｃ８３間を介してＳＷ８１およびＳＷ８２に印加される。これにより、ＳＷ８１およびＳＷ８２も図示する状態と反対側に切り換えられてＳＷ８１の接点ａ８１−ｃ８１間とＳＷ８２の接点ａ８２−ｂ８２間が接続される。すなわち、分波器１０で分波された信号Ｓａ３は、ＳＷ８１の接点ａ８１−ｃ８１間を介して分波出力端子ＯＵＴ２から出力される。この場合の信号Ｓａ３は、Ｓａ６（信号Ｓ２１：ＢＳ・ＣＳ−ＩＦ右旋）とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【０１００】
分波出力端子ＯＵＴ２から出力された入力信号Ｓａ６は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓａ３の一部である信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。既設の第１ブースター５ａ，３５ａからの信号Ｓａ３（Ｓ２２／Ｓ３２）は混合入力端子ＩＮ３に入力される。ＳＷ８２の接点ｂ８２−ａ８２間が接続されることから、混合入力端子ＩＮ３に入力された信号Ｓａ３（Ｓ２２／Ｓ３２）はＳＷ８２の接点ｂ８２−ａ８２間を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【０１０１】
第８実施例のブースター６−８がブースターＢ２，Ｂ４の第４ブースター６ｂ，３６ｂに適用された時も、第１入力端子ＩＮ１に入力信号Ｓａ１は入力されない。ＳＷ８３は図示する状態と反対側に切り換えられ、電源１７からの動作電源がＳＷ８３の接点ａ８３−ｃ８３間を介してＳＷ８１およびＳＷ８２に印加される。また、ＳＷ７１，ＳＷ７２は図示する切換状態の反対側へ連動して切り換えられる。これにより、ＳＷ８１およびＳＷ８２も図示する状態と反対側に切り換えられてＳＷ８１の接点ａ８１−ｃ８１間とＳＷ８２の接点ａ８２−ｂ８２間が接続される。すなわち、分波器１０で分波された信号Ｓａ３は、ＳＷ８１の接点ａ８１−ｃ８１間を介して分波出力端子ＯＵＴ２から出力される。この場合の信号Ｓａ３は、信号Ｓ２２あるいは信号Ｓ３２とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【０１０２】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。ＳＷ８２の接点ｂ８２−ａ８２間が接続されることから、混合入力端子ＩＮ３に入力された信号Ｓａ３（Ｓ２２／Ｓ３２）はＳＷ８２を介して混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
【０１０３】
次に、本発明にかかる共同受信システムにおいて増設された入力部Ａ２，Ａ４の第３ブースター６ａ，３６ａとブースターＢ１〜Ｂ４の第４ブースター６ｂ，３６ｂに適用できる第９実施例のブースター６−９の構成を図１８に示す。
図１８に示す第９実施例のブースター６−９は、第１実施例のブースター６において第１入力端子ＩＮ１とＳＷ１１を省略した構成とされており、それ以外の構成は第１実施例のブースター６の構成と同様とされていることから、異なる構成に関しての説明のみを行い、他の構成の説明は省略する。
【０１０４】
第９実施例のブースター６−９が入力部Ａ２，Ａ４のブースターに適用された場合について次に説明する。
第９実施例のブースター６−９が入力部Ａ２，Ａ４の第３ブースター６ａ，３６ａとされた時は、第２入力端子ＩＮ２に入力された信号Ｓａ２は、信号Ｓ２（ＢＳ・ＣＳ−ＩＦ右旋＋ＢＳ・ＣＳ−ＩＦ左旋）とされ、分波器１０で分波された信号Ｓａ３は信号Ｓ２１（ＢＳ・ＣＳ−ＩＦ右旋）とされ、分波出力端子ＯＵＴ２から出力される。また、分波器１０で分波された信号Ｓａ４は信号Ｓ９（ＢＳ・ＣＳ−ＩＦ左旋）とされ、ＡＭＰ１２で増幅されて混合器１３の他方の端子に入力される。
【０１０５】
分波出力端子ＯＵＴ２から出力された信号Ｓ２１は、入力部Ａ２，Ａ４で示されるように既設の第１ブースター５ａ，３５ａに入力され、信号Ｓ１と混合されて増幅される。既設の第１ブースター５ａ，３５ａから出力される信号は信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）とされる。この既設の第１ブースター５ａ，３５ａからの信号Ｓａ３（Ｓ２２／Ｓ３２）は混合入力端子ＩＮ３に入力され混合器１３の一方の端子に入力される。混合器１３では、信号Ｓａ３（Ｓ２２／Ｓ３２）と、他方の端子に入力された信号Ｓａ４（ＢＳ・ＣＳ−ＩＦ左旋）とが混合されて、信号Ｓａ５が出力端子ＯＵＴ１から出力される。入力部Ａ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ４では信号Ｓａ５が信号Ｓ３３（ＣＡＴＶ＋ＢＳ・ＣＳ−ＩＦ右旋＋ＢＳ・ＣＳ−ＩＦ左旋）となる。
【０１０６】
次に、第９実施例のブースター６−９がブースターＢ１，Ｂ３の第４ブースター６ｂ，３６ｂとされた時は、第２入力端子ＩＮ２に入力された信号Ｓａ２が分波器１０で分波されるが、分波器１０で分波された信号Ｓａ３は、分波出力端子ＯＵＴ２から出力される。この場合の信号Ｓａ３は、入力信号Ｓａ１（信号Ｓ１／Ｓ３１）とされる。また、分波器１０で分波された信号Ｓａ４は信号Ｓ２（ＢＳ・ＣＳ−ＩＦ右旋＋ＢＳ・ＣＳ−ＩＦ左旋）とされ、ＡＭＰ１２で増幅されて混合器１３の他方の端子に入力される。
【０１０７】
分波出力端子ＯＵＴ２から出力された入力信号Ｓａ１は、ブースターＢ１，Ｂ３で示されるように既設の第２ブースター５ｂ，３５ｂに入力されて増幅され、増幅された信号Ｓａ１は混合入力端子ＩＮ３に入力される。混合入力端子ＩＮ３に入力された入力信号Ｓａ１は混合器１３の一方の端子に入力される。混合器１３では、入力信号Ｓａ１と、他方の端子に入力された信号Ｓ２（信号Ｓａ７）とが混合されて、信号Ｓａ５が出力端子ＯＵＴ１から出力される。ブースターＢ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ３では信号Ｓａ５が信号Ｓ３３（ＣＡＴＶ＋ＢＳ・ＣＳ−ＩＦ右旋＋ＢＳ・ＣＳ−ＩＦ左旋）となる。
【０１０８】
第９実施例のブースター６−９がブースターＢ２，Ｂ４の第４ブースター６ｂ，３６ｂに適用された時は、第２入力端子ＩＮ２に入力された信号Ｓａ２が分波器１０で分波されるが、分波器１０で分波された信号Ｓａ３は分波出力端子ＯＵＴ２から出力される。この場合の信号Ｓａ３は、信号Ｓ２２あるいは信号Ｓ３２とされる。また、分波器１０で分波された信号Ｓａ４は信号Ｓａ９（信号Ｓ９：ＢＳ・ＣＳ−ＩＦ左旋）とされ、ＡＭＰ１２で増幅されて混合器１３の他方の端子に入力される。
【０１０９】
分波出力端子ＯＵＴ２から出力された信号Ｓ２２／Ｓ３２は、ブースターＢ２，Ｂ４で示されるように既設の第２ブースター５ｂ，３５ｂに入力されて増幅され、増幅された信号Ｓ２２／Ｓ３２は混合入力端子ＩＮ３に入力される。混合入力端子ＩＮ３に入力された信号Ｓａ３（Ｓ２２／Ｓ３２）は混合器１３の一方の端子に入力される。混合器１３では、信号Ｓａ３（Ｓ２２／Ｓ３２）と、他方の端子に入力された信号Ｓ９（信号Ｓａ９）とが混合されて、信号Ｓａ５が出力端子ＯＵＴ１から出力される。ブースターＢ２では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、ブースターＢ４では信号Ｓａ５が信号Ｓ３３（ＣＡＴＶ＋ＢＳ・ＣＳ−ＩＦ右旋＋ＢＳ・ＣＳ−ＩＦ左旋）となる。
このように、第１入力端子ＩＮ１が省略されていることから、第９実施例のブースター６−９は、入力部Ａ２，Ａ４の第３ブースター６ａ，３６ａとブースターＢ１〜Ｂ４の第４ブースター６ｂ，３６ｂに適用することができる。
【０１１０】
また、第９実施例のブースター６−９は、第１入力端子ＩＮ１に替えて混合入力端子ＩＮ３を使用し、分波出力端子ＯＵＴ２を終端することにより、入力部Ａ１，Ａ３の第３ブースター６ａ，３６ａに適用することができる。
すなわち、第９実施例のブースター６−９が入力部Ａ１，Ａ３の第３ブースター６ａ，３６ａとされた時は、第２入力端子ＩＮ２に入力された信号Ｓａ２は、信号Ｓ２（ＢＳ・ＣＳ−ＩＦ右旋＋ＢＳ・ＣＳ−ＩＦ左旋）とされ、分波器１０で分波された信号Ｓａ３はノイズ成分となり、終端された分波出力端子ＯＵＴ２で終端される。また、分波器１０で分波された信号Ｓａ４は信号Ｓ２（ＢＳ・ＣＳ−ＩＦ左旋＋ＢＳ・ＣＳ−ＩＦ左旋）とされ、ＡＭＰ１２で増幅されて混合器１３の他方の端子に入力される。混合入力端子ＩＮ３には、信号Ｓａ３に替えて入力信号Ｓａ１（信号Ｓ１／Ｓ３１）を入力して、混合器１３の一方の端子に入力する。混合器１３では、信号Ｓａ１（Ｓ１／Ｓ３１）と、他方の端子に入力された信号Ｓａ４（ＢＳ・ＣＳ−ＩＦ右旋＋ＢＳ・ＣＳ−ＩＦ左旋）とが混合されて、信号Ｓａ５が出力端子ＯＵＴ１から出力される。入力部Ａ１では信号Ｓａ５が信号Ｓ３（ＦＭ＋ＵＨＦ＋ＢＳ・ＣＳ−ＩＦ右旋＋ＢＳ・ＣＳ−ＩＦ左旋）となり、入力部Ａ３では信号Ｓａ５が信号Ｓ３３（ＣＡＴＶ＋ＢＳ・ＣＳ−ＩＦ右旋＋ＢＳ・ＣＳ−ＩＦ左旋）となる。
【０１１１】
上記説明した第２実施例のブースター６−２ないし第９実施例のブースター６−９における分波器１０および混合器１３は、図１０（ａ）（ｂ）に示す回路構成とされている。
【０１１２】
上記説明したように、本発明にかかる第１実施例のブースター６ないし第９実施例のブースター６−９においては、第２入力端子ＩＮ２に入力された信号を、分波器１０により既設の周波数帯域の信号（１）と増設された周波数帯域の信号（２）とに分波し、分波した周波数帯域（１）の信号を出力すると共に、分波した周波数帯域の信号（２）を増幅する。そして、出力した周波数帯域（１）の信号は、既設のブースター５ａ，５ｂ，３５ａ，３５ｂで増幅されて、本発明にかかるブースター６〜６−９に入力され、増幅された周波数帯域（２）の信号と混合器１３で混合される。混合された信号は、伝送する全ての帯域の信号となり、ブースター６〜６−９からの出力信号となる。これにより、既設の周波数帯域の信号は既設のブースターで増幅されることから、伝送するすべての帯域に対応したブースターを増設する必要はなく、増設する本発明にかかるブースター６〜６−９は増設される周波数帯域に対応していればよく、コストを低減することができる。また、既設の周波数帯域の信号は既設のブースターで適切な運用レベルに調整されていることから、増設する本発明にかかるブースター６〜６−９において増設される周波数帯域の信号だけのレベル調整をすればよく、短時間で調整作業を終了することができる。
【０１１３】
本発明にかかるブースター６〜６−９において、第１入力端子ＩＮ１に入力される信号は基本的には既設の周波数帯域の信号であり、第２入力端子ＩＮ２に入力される信号は増設された周波数帯域の信号を含む信号であり、分波出力端子ＯＵＴ２から出力される信号は既設の周波数帯域の信号であり、混合入力端子ＩＮ３に入力される信号は既設の周波数帯域の信号となる。
なお、入力部Ａ１，Ａ３においては、信号Ｓ１（ＦＭ＋ＵＨＦ）あるいは信号Ｓ３１（ＣＡＴＶ）が既設の周波数帯域の信号であり、信号Ｓ２（ＢＳ・ＣＳ−ＩＦ右旋＋ＢＳ・ＣＳ−ＩＦ左旋）が増設された周波数帯域の信号となる。また、入力部Ａ２，Ａ４においては、信号Ｓ２２（ＦＭ＋ＵＨＦ＋ＢＳ・ＣＳ−ＩＦ右旋）あるいは信号Ｓ３２（ＣＡＴＶ＋ＢＳ・ＣＳ−ＩＦ右旋）が既設の周波数帯域の信号であり、信号Ｓ９（ＢＳ・ＣＳ−ＩＦ左旋）が増設された周波数帯域の信号となる。
【産業上の利用可能性】
【０１１４】
上記した本発明のブースターでは、ＡＭＰの動作電源を有していることから、この動作電源を第２入力端子から出力して、伝送用の同軸ケーブルを介して増設したＢＳ・ＣＳアンテナに供給することができる。
本発明の各実施例のブースターにおけるスイッチは、機械的スイッチ、半導体スイッチ、リレーなどを用いることができる。
本発明のブースターの実施例においては、ＦＭ信号、ＵＨＦ信号と右旋円偏波および左旋円偏波のＢＳ・ＣＳ−ＩＦ信号とを増幅するブースターとして説明したが、これに限ることはなく、周波数帯域の異なる高周波信号を増幅して出力する増設されるブースターに適用することができる。
【符号の説明】
【０１１５】
１  共同受信システム
２  ＦＭアンテナ
３  ＵＨＦアンテナ
４  ＢＳ・ＣＳアンテナ
６〜６−９  ブースター
５ａ，５ｂ，３５ａ，３５ｂ  ブースター
６ａ，６ｂ，３６ａ，３６ｂ  ブースター
７  分配器
８ａ，８ｂ，８ｃ，８ｄ  分配器
９ａ，９ｂ，９ｃ，９ｃ  分配器
１０  分波器
１０ａ，１０ｄ，１０ｅ    スイッチ
１０ｂ，１０ｃ  分波器
１１  スイッチ
１２  アンプ
１３  混合器
１３ａ，１３ｂ，１３ｅ  スイッチ
１３ｃ，１３ｄ  混合器
１４  分岐器
１５  モニター端子
１６  電源切換部
１７  電源
２２  ＦＭ／ＵＨＦアンテナ
３２  ＣＡＴＶ
７１  第１追加スイッチ
７２  第２追加スイッチ
８３  第３追加スイッチ
１００  共同受信システム
１１０  ＦＭアンテナ
１１１  ＵＨＦアンテナ
１１２，２１２，３１２，４１２  第１ブースター
１１４，２１４，３１４，４１４  第２ブースター
１１３ａ，１１３ｂ，１１３ｃ，１１３ｄ  分配器
１１５ａ，１１５ｂ，１１５ｃ，１１５ｃ  分配器
１２０  分配器
２１０  ＦＭ／ＵＨＦアンテナ
２１１  ＢＳ・ＣＳアンテナ
３１０  ＣＡＴＶ
５００  ブースター
５１０ 分波器
５１１ スイッチ
５１２，５１３  アンプ
５１４ 混合器
５１５ 分岐器
５１６ モニター端子
５１７ 電源切換部
５１８ 電源
Ａ１，Ａ２，Ａ３，Ａ４  入力部
Ｂ１，Ｂ２，Ｂ３，Ｂ４  ブースター
ＩＮ１  第１入力端子
ＩＮ２  第２入力端子
ＩＮ３  混合入力端子
ＯＵＴ１  出力端子
ＯＵＴ２  分波出力端子
ＲＹ１  リレー
ＲＹ２  リレー
Ａ１０１，Ａ１０２，Ａ１０３，Ａ１０４  入力部
Ｂ１０１，Ｂ１０２，Ｂ１０３，Ｂ１０４  ブースター
【図１】
2017092903.tif 000003
【図２】
2017092903.tif 000004
【図３】
2017092903.tif 000005
【図４】
2017092903.tif 000006
【図５】
2017092903.tif 000007
【図６】
2017092903.tif 000008
【図７】
2017092903.tif 000009
【図８】
2017092903.tif 000010
【図９】
2017092903.tif 000011
【図１０】
2017092903.tif 000012
【図１１】
2017092903.tif 000013
【図１２】
2017092903.tif 000014
【図１３】
2017092903.tif 000015
【図１４】
2017092903.tif 000016
【図１５】
2017092903.tif 000017
【図１６】
2017092903.tif 000018
【図１７】
2017092903.tif 000019
【図１８】
2017092903.tif 000020
【図１９】
2017092903.tif 000021
【図２０】
2017092903.tif 000022
【図２１】
2017092903.tif 000023
【図２２】
2017092903.tif 000024
【図２３】
2017092903.tif 000025
【図２４】
2017092903.tif 000026
【図２５】
2017092903.tif 000027
【図２６】
2017092903.tif 000028
【図２７】
2017092903.tif 000029